【事件の表示】
　特許第３２８６６５９号「パチンコ遊技機」の請求項１、２に係る特許に対する特許異議の申立てについて、次のとおり決定する。
【結　論】
　
　訂正を認める。
　特許第３２８６６５９号の請求項１に係る特許を取り消す。
【理　由】
　
一．手続の経緯
　
　本件特許第３２８６６５９号の請求項１乃至請求項２に係る発明についての出願は、平成３年７月２６日に出願された特願平３−２０８８０９号の一部を平成１１年１１月１５日に新たな特許出願としたものであって、平成１４年３月８日にその発明について特許の設定登録がされ、その後、その特許について、特許異議申立人上田実より特許異議の申立てがなされ、取消しの理由が通知され、その指定期間内である平成１５年４月１５日に訂正請求がなされたものである。
　
二．訂正の適否
　
１． 訂正の内容
　
　上記訂正請求の要旨は、特許第３２８６６５９号の特許明細書を特許請求の範囲の減縮及び明りょうでない記載の釈明を目的として、訂正請求書に添付した訂正明細書のとおり、すなわち、次の訂正事項ａ乃至訂正事項ｅのとおり訂正することを求めるものである。
　
（訂正事項ａ）
　特許請求の範囲の請求項１を、特許請求の範囲の減縮を目的として、
「第１の検出手段による遊技球の検出によって第１の図柄を変動表示する第１の図柄表示部と、該第１の図柄表示部に前記第１の図柄により所定の表示態様が表示される時に拡開作動する第１の変動入賞装置と、前記第１の変動入賞装置への入賞を検出する第２の検出手段と、前記第２の検出手段による遊技球の検出によって第２の図柄を変動表示する第２の図柄表示部と、該第２の図柄表示部に前記第２の図柄により所定の複数種類の組合せ図柄のうちのいずれかの組合せ図柄の表示態様が表示される時に拡開作動する第２の変動入賞装置と、前記第１の検出手段による遊技球の検出数を記憶する第１の記憶手段と、前記第２の検出手段による遊技球の検出数を記憶する第２の記憶手段とを設けたパチンコ遊技機において、前記第１の図柄表示部に前記第１の図柄によって前記所定の表示態様が表示される確率が、前記第２の図柄表示部に前記第２の図柄によって前記所定の表示態様が表示される確率よりも高い確率に設定されると共に、所定の範囲内で更新される抽選用数値手段を備え、前記第２の検出手段の検出信号に応じて前記抽選用数値手段の現在値を抽選し、抽選した前記抽選用数値手段の現在値が当りであるか否かにより乱数的に設定される確率に基いて前記第２の図柄表示部に前記第２の図柄によって所定の複数種類の組合せ図柄のうちのいずれかの組合せ図柄の表示態様が表示されるように制御し、前記第１の図柄表示部と、前記第１の記憶手段に記憶された前記第１の検出手段による検出数を表示する第１の記憶数表示部とを表示体の表示面上に設け、前記第１の変動入賞装置が拡開作動する作動条件の成立と、前記第１の検出手段による検出数とをそれぞれ前記表示面上の表示によって報知可能としたことを特徴とするパチンコ遊技機。」
　と訂正する。
　
（訂正事項ｂ）
　特許請求の範囲の請求項２を削除する。
　
（訂正事項ｃ）
　特許明細書第【０００６】段落の記載を、明りようでない記載の釈明を目的として、
「【課題を解決するための手段】請求項１に記載のパチンコ遊技機は、第１の検出手段による遊技球の検出によって第１の図柄を変動表示する第１の図柄表示部と、該第１の図柄表示部に前記第１の図柄により所定の表示態様が表示される時に拡開作動する第１の変動入賞装置と、前記第１の変動入賞装置への入賞を検出する第２の検出手段と、前記第２の検出手段による遊技球の検出によって第２の図柄を変動表示する第２の図柄表示部と、該第２の図柄表示部に前記第２の図柄により所定の複数種類の組合せ図柄のうちのいずれかの組合せ図柄の表示態様が表示される時に拡開作動する第２の変動入賞装置と、前記第１の検出手段による遊技球の検出数を記憶する第１の記憶手段と、前記第２の検出手段による遊技球の検出数を記憶する第２の記憶手段とを設けたパチンコ遊技機において、前記第１の図柄表示部に前記第１の図柄によって前記所定の表示態様が表示される確率が、前記第２の図柄表示部に前記第２の図柄によって前記所定の表示態様が表示される確率よりも高い確率に設定されると共に、所定の範囲内で更新される抽選用数値手段を備え、前記第２の検出手段の検出信号に応じて前記抽選用数値手段の現在値を抽選し、抽選した前記抽選用数値手段の現在値が当りであるか否かにより乱数的に設定される確率に基いて前記第２の図柄表示部に前記第２の図柄によって所定の複数種類の組合せ図柄のうちのいずれかの組合せ図柄の表示態様が表示されるように制御し、前記第１の図柄表示部と、前記第１の記憶手段に記憶された前記第１の検出手段による検出数を表示する第１の記憶数表示部とを表示体の表示面上に設け、前記第１の変動入賞装置が拡開作動する作動条件の成立と、前記第１の検出手段による検出数とをそれぞれ前記表示面上の表示によって報知可能としたことを特徴とする。」
　と訂正する。
　
（訂正事項ｄ）
　特許明細書第【０００７】段落の記載を削除する。
　
（訂正事項ｅ）
　特許明細書第【０１４８】段落の記載を削除する。
　
　
２． 訂正の目的の適否、新規事項の有無及び拡張・変更の存否
　
　上記の各訂正は、特許請求の範囲の減縮あるいは明りようでない記載の釈明を目的とし、新規事項の追加に該当せず、また、実質上特許請求の範囲を拡張し、又は変更するものではない。
　
３． むすび
　
　以上のとおりであるから、上記訂正は、特許法の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
　
三．取消理由についての判断
　
　訂正明細書の請求項１に係る発明（以下、本件訂正後発明という）は、その特許請求の範囲に記載された次の事項により特定されるとおりのものである。
　
（本件訂正後発明）
「第１の検出手段による遊技球の検出によって第１の図柄を変動表示する第１の図柄表示部と、該第１の図柄表示部に前記第１の図柄により所定の表示態様が表示される時に拡開作動する第１の変動入賞装置と、前記第１の変動入賞装置への入賞を検出する第２の検出手段と、前記第２の検出手段による遊技球の検出によって第２の図柄を変動表示する第２の図柄表示部と、該第２の図柄表示部に前記第２の図柄により所定の複数種類の組合せ図柄のうちのいずれかの組合せ図柄の表示態様が表示される時に拡開作動する第２の変動入賞装置と、前記第１の検出手段による遊技球の検出数を記憶する第１の記憶手段と、前記第２の検出手段による遊技球の検出数を記憶する第２の記憶手段とを設けたパチンコ遊技機において、前記第１の図柄表示部に前記第１の図柄によって前記所定の表示態様が表示される確率が、前記第２の図柄表示部に前記第２の図柄によって前記所定の表示態様が表示される確率よりも高い確率に設定されると共に、所定の範囲内で更新される抽選用数値手段を備え、前記第２の検出手段の検出信号に応じて前記抽選用数値手段の現在値を抽選し、抽選した前記抽選用数値手段の現在値が当りであるか否かにより乱数的に設定される確率に基いて前記第２の図柄表示部に前記第２の図柄によって所定の複数種類の組合せ図柄のうちのいずれかの組合せ図柄の表示態様が表示されるように制御し、前記第１の図柄表示部と、前記第１の記憶手段に記憶された前記第１の検出手段による検出数を表示する第１の記憶数表示部とを表示体の表示面上に設け、前記第１の変動入賞装置が拡開作動する作動条件の成立と、前記第１の検出手段による検出数とをそれぞれ前記表示面上の表示によって報知可能としたことを特徴とするパチンコ遊技機。」
　
　
理由第１．　特許法第２９条の２違反について
　
　先願　：　特願平２−２１６８２７号（特開平４−９７７６８号公報）
　
１．先願に記載された発明
　
　当審が通知した取消理由に引用した、本件の出願日前の出願であって同出願日後に出願公開された先願である特願平２−２１６８２７号（特開平４−９７７６８号公報）の出願当初の明細書に相当する欄には、図面とともに以下の事項が記載されている。
　
(a)　「遊技領域２２３には、複数種類の識別情報が可変表示可能な普通可変表示装置２と、複数種類の識別情報が可変表示可能な特別可変表示装置１と、可動部材４ａ，４ｂが開閉することにより打玉が入賞しやすい遊技者にとって有利な第１の状態と打玉が入賞しにくいまたは入賞しない遊技者にとって不利な第２の状態とに変化する普通可変入賞球装置４とが一体的に設けられている。さらに遊技領域２２３の下方位置には、開閉板５１が開閉することにより打玉が入賞しやすい遊技者にとって有利な第１の状態と打玉が入賞しにくいまたは入賞しない遊技者にとって不利な第２の状態とに変化する特別可変入賞球装置３と、特別始動入賞口９ａ，９ｂとが一体的に設けられている。」（公開公報第２０頁左上欄第１３行−右上欄第７行）
(b)　「パチンコ玉が普通始動通過口７を通過すればその通過玉が始動通過玉検出器８により検出され、その検出出力に基づいて普通可変表示装置２が可変表示を開始する。」（同第２０頁左下欄第１２−１５行）
(c)　「特別可変表示器１ａ，１ｂ，１ｃや普通可変表示器２ａ，２ｂは、０〜９の１０種類の数字を可変表示するものであり、特別可変表示装置１の表示結果が、第１図に示す横３行および斜め対角線上に２列の合計５列のラインにたとえば７７７が揃えば大当り状態となり、ソレノイド１６が励磁されて開閉板５１が開成される。」（同第２１頁左上欄第１−７行）
(d)　「普通可変表示装置２の可変表示中などにパチンコ玉が普通始動通過口７を通過すればその始動通過が記憶されるのであり、その始動通過の回数が始動通過記憶表示器５により表示される。」（同第２１頁右上欄第１４−１８行）
(e)　「この普通始動通過口７にパチンコ玉が通過して可変表示された普通可変表示装置２の停止時の表示結果が所定の識別情報（たとえば７７）となれば、ソレノイド１５を励磁させて普通可変入賞球装置４を比較的長い所定時間（たとえば６秒間）開成制御する。・・・
　この普通可変入賞球装置４に入賞したパチンコ玉は始動入賞玉検出器１０により検出され、その検出出力に基づいて特別可変表示装置１が可変表示される。」（同第２１頁左下欄第１０行−右下欄第３行）
(f)　「当たりはずれ決定用カウンタは「０」からカウントアップされて２２０に達すればクリアされて再度「０」からカウントアップしなおすのである。そして、当りはずれ決定用カウンタが「０」の場合に特別可変表示装置１の可変表示において大当たりが発生するように定められている。その結果、実際のプログラム上の大当たりの発生確率は１／２２０となる。」（同第２５頁左上欄第４−１１行）
(g)　「大当たりの図柄は、横３行および斜め対角線上に２列の合計５ライン上に「７７７」が揃う合計５種類の識別情報の組合せになるために、当たり図柄決定用カウンタのカウント値も０〜４の５種類用意し、当たり外れ決定用カウンタの値により当たりが決定された場合には後述するように当たり図柄決定用カウンタのカウント値に基づいて特別可変表示装置を当たりの識別情報の組合せになるように停止制御するのである。」（同第２５頁右上欄第５−１３行）
(h)　「始動入賞スイッチＣ（始動入賞玉検出器１０）がＯＮになっているか否かの判断がなされる。そしてパチンコ玉が普通可変入賞球装置４（第１図参照）に入賞すれば、Ｓ３０によりＹＥＳの判断がなされ、・・・始動入賞が発生したことに伴う始動入賞記憶カウンタの「１」の加算処理がなされる。次にＳ３７に進み、当たりはずれ決定用カウンタのカウント値が「０」であるか否かの判断がなされる。・・・そして、当り外れ決定用カウンタが「０」である場合にはＳ３８に進み、始動入賞記憶カウンタの値に対応するデータ記憶エリアに大当たりデータを記憶させる処理がなされてサブルーチンプログラムが終了する。一方、当たりはずれ決定用カウンタが「０」でなかった場合にはＳ３９に進み、始動入賞記憶カウンタの値に対応するデータ記憶エリアにはずれデータを記憶させる処理がなされてサブルーチンプログラムは終了する。」（同第２６頁左上欄第１９行−左下欄第１８行）
(i)　「始動通過記憶に基づいた普通可変表示装置の可変制御は、当たりはずれ決定用カウンタが０〜６の場合に大当たりの識別情報の組み合わせ（たとえば７７）になるように停止制御される。つまり、大当たりになる確率は７／２２０≒３．２／１００となる。」（同第２７頁左上欄第１６行−右上欄第１行）
　
　さらに、第１図を参照すると、上記始動通過記憶表示器５は、普通可変表示装置２、特別可変表示装置１及び普通可変入賞球装置４が一体的に設けられた遊技領域内の装置上に、普通可変表示装置２に隣接して設けられており、「１」乃至「４」の数字を表示する各々の部分を有していることが記載されている。
　
　以上の記載によれば、上記先願の明細書又は図面には、
　
「始動通過玉検出器８によるパチンコ玉の検出に基づいて可変表示を開始する普通可変表示装置２と、可変表示された普通可変表示装置２の停止時の表示結果が所定の識別情報となった時に開成制御される普通可変入賞球装置４と、この普通可変入賞球装置４に入賞したパチンコ玉を検出する始動入賞玉検出器１０と、始動入賞玉検出器１０の検出出力に基づいて可変表示される特別可変表示装置１と、特別可変表示装置１の表示結果が所定の５種類の識別情報の組合せのうちのいずれかとなった時に開成される開閉板５１を備えた特別可変入賞球装置３と、パチンコ玉が普通始動通過口７を通過すればその始動通過を記憶する手段と、始動入賞玉検出器１０によるパチンコ球の検出数を記憶する始動入賞記憶カウンタとを設けた弾球遊技機において、普通可変表示装置で大当たりの識別情報の組合せになるように停止制御される確率は７／２２０に、特別可変表示装置１の可変表示において大当たりが発生する確率は１／２２０に設定されており、さらに、「０」からカウントアップされて２２０に達すればクリアされて再度「０」からカウントアップし直す当たりはずれ決定用カウンタを備え、始動入賞玉検出器１０がＯＮになった時点で当たりはずれ決定用カウンタのカウント値が「０」であるか否かの判断をし、当該当たりはずれ決定用カウンタの値により当たりが決定された場合には、当たり図柄決定用カウンタのカウント値に基づいて特別可変表示装置を上記所定の５種類の識別情報の組合せのうちのいずれかになるように停止制御し、普通始動通過口７の始動通過の記憶回数を表示する始動通過記憶表示器５と普通可変表示装置２とを遊技領域内の装置に一体的に且つ隣接して設けた弾球遊技機」
　
　との発明（以下、「先願発明」という。）が開示されていると認めることができる。
　
２．本件訂正後発明と先願に記載された発明との対比
　
（１）　先願発明の「始動通過玉検出器８」、「パチンコ玉」、「普通可変入賞球装置４」、「始動入賞玉検出器１０」、「特別可変入賞球装置３」、「パチンコ玉が普通始動通過口７を通過すればその始動通過を記憶する手段」、「始動入賞記憶カウンタ」、「当たりはずれ決定用カウンタ」、「弾球遊技機」は、それぞれの機能に照らし、本件訂正後発明の「第１の検出手段」、「遊技球」、「第１の変動入賞装置」、「第２の検出手段」、「第２の変動入賞装置」、「第１の記憶手段」、「第２の記憶手段」、「抽選用数値手段」、「パチンコ遊戯機」に相当する。
（２）　先願発明において普通可変表示装置２及び特別可変表示装置１で可変表示されるものは、「図柄」（０〜９の１０種類の数字）とされており、それぞれ、本件訂正後発明の「第１の図柄」及び「第２の図柄」に相当する。
（３）　先願発明の「普通可変表示装置２の停止時の表示結果が所定の識別情報となった時」は、本件訂正後発明の「第１の図柄表示部に前記第１の図柄により所定の表示態様が表示される時」に相当し、また、先願発明の「特別可変表示装置１の表示結果が所定の５種類の識別情報の組合せのうちのいずれかとなった時」は、本件訂正後発明の「第２の図柄表示部に前記第２の図柄により所定の複数種類の組合せ図柄のうちのいずれかの組合せ図柄の表示態様が表示される時」に相当する。
（４）　先願発明で「始動入賞玉検出器１０がＯＮになった時点で当たりはずれ決定用カウンタのカウント値が「０」であるか否かの判断をし」ている点は、本件訂正後発明で「第２の検出手段の検出信号に応じて前記抽選用数値手段の現在値を抽選し」ている点に相当し、先願発明で「当たりはずれ決定用カウンタの値により当りが決定された場合には、当たり図柄決定用カウンタのカウント値に基づいて特別可変表示装置を上記所定の５種類の識別情報の組合せのうちのいずれかになるように停止制御」している点は、本件訂正後発明で「抽選した前記抽選用数値手段の現在値が当りであるか否かにより乱数的に設定される確率に基いて前記第２の図柄表示部に前記第２の図柄によって所定の複数種類の組合せ図柄のうちのいずれかの組合せ図柄の表示態様が表示されるように制御」ている点に相当する。
（５）　先願発明の「普通可変表示装置２」は本件訂正後発明の「表示体」に相当するものであって、その表示体の「表示面上に」、図柄（数字）を表示する部分が設けられていることは明らかであり、当該部分が本件訂正後発明の「第１の図柄表示部」に相当する。そして、先願発明でも、普通可変表示装置２の停止時の表示結果が所定の識別情報となれば普通可変入賞球装置４が開成制御されるから、普通可変表示装置２の図柄を表示する部分により、普通可変入賞球装置４（第１の変動入賞装置）が拡開作動する作動条件の成立が報知されていることは明らかである。
　また、先願発明の「始動通過記憶表示器」は本件訂正後発明の「表示体」に相当するものであって、その表示体の「表示面上に」、「１」乃至「４」の数字が表示される部分が設けられていることは明らかであるから、当該部分は、本件訂正後発明の「第１の記憶手段に記憶された前記第１の検出手段による検出数を表示する第１の記憶数表示部」に相当し、第１の検出手段（「始動通過玉検出器８」）による検出数を報知しているものである。
　以上のとおり、先願発明においても、第１の図柄を表示する表示部と、検出手段による検出数を表示する表示部は、本件訂正後発明と同様に「表示体の表示面上に設け」られており、これらによって、第１の変動入賞装置（「普通可変入賞球装置４」）が拡開作動する作動条件の成立と、第１の検出手段（「始動通過玉検出器８」）による検出数とがそれぞれ報知可能となっている。
（６）　先願発明の「特別可変表示装置１」において図柄を表示する部分が本件訂正後発明の「第２の図柄表示部」に相当する。
　
　したがって、本件訂正後発明は、上記先願の明細書又は図面に記載された発明と同一であり、しかも、本件出願の発明者が上記先願に係る上記の発明をした者と同一ではなく、またこの出願の時において、本件の出願人が上記先願の出願人と同一でもないので、本件訂正後発明の特許は、特許法第２９条の２第１項の規定の規定に違反してなされたものである。
　
　
理由第２．　特許法第２９条第２項違反について
　
　第１引用例　：　特開平２−２８６１８３号公報
　第２引用例　：　特開平２−１３４１７９号公報
　
１．各引用例に記載された発明
　
（１）第１引用例について
　
　当審が通知した取消理由に引用した、本願の出願の日前である平成２年１１月２６日に頒布された特開平２―２８６１８３号公報（以下、「第１引用例」という。）には、
　
(i-a)　「このパチンコ遊技機１は、遊技盤面２上に発射された遊技球が始動口に入賞することにより別遊技ができるようにしたもので、遊技盤面２には、遊技球が入賞できない第１状態と入賞できる第２状態とに変換される複数の可変入賞装置３Ｌ、３Ｃ、３Ｒが、それぞれ始動口として配置されている。また、遊技盤面２の中央には、別遊技装置として可変表示装置４が配置され、その下方に、別遊技の結果が特定の表示態様になった時に開く扉を備えた変動入賞装置５が設けられている。」（第４頁右上欄第１４行−左下欄第３行）
(i-b)　「可変表示装置４は、矩形の窓内に複数（例えば３個）の数字を可変表示する７セグメントＬＥＤ（発光ダイオード）表示器を配置したもので、・・・表示器は数字だけでなく、文字や図形等を表示するものでもよい。」（第４頁左下欄第４−１０行）
(i-c)　「可変表示装置４の左右には、遊技盤面２上に発射された遊技球が入る入賞口の一種として、通過チャッカー６Ｌ、６Ｒが配置される。各チャッカーは、それぞれ遊技盤面２上で遊技球が通過できる孔を有し、その孔を通過した遊技球を検出する通過球検出器の正面側を適当なカバーで覆うことで形成される。」（第４頁左下欄第１７行−右下欄第３行）
(i-d)　「可変表示装置４の表示部の上方には、後述のように遊技球検出器２１からの検出信号に応じて０〜９の数字を可変表示する可変表示器７が配置されている」（第４頁右下欄第１０−１３行）
(i-e)　「可変入賞装置は、一対の可動片４２ａ、４２ｂが第４図（Ａ）に示すように閉じることで遊技球が入賞できない第１状態となり、第４図（Ｂ）に示すように開くことで遊技球が入賞できる第２状態となる。」（第５頁右下欄第１５−１９行）
(i-f)　「始動口に入った遊技球を検出するために始動口センサ３３（第５図）が設けられる」（第６頁右下欄第１３−１４行）
(i-g)　「発射球カウンタ１８及び戻り球カウンタ１９からの出力信号ａ及びｂに応じて乱数を発生する第２及び第３の乱数発生部２５及び２６と、それぞれ発生した乱数の値を判定する第２及び第３の判定部２７及び２８と、・・・第３の判定部２８で判定した乱数が所定値のとき、始動口への入賞で開始される別遊技としての表示が所定の結果態様で終了するように可変表示装置４を制御する第２の制御部３０とが設けられる。」（第７頁右上欄第２−１２行）
(i-h)　「遊技球検出器２１が検出信号を出力すると、第１の乱数発生部２２が乱数を発生し、その値を第１の判定部２３が判定する。そして、乱数の値が予め定めた数に当ったとき、前述のように第１の制御部２４が可変表示器７の表示を特定の態様にて停止させ、且つ、始動口を遊技者に有利な第２状態に変換駆動する。その確率は、例えば２０分の１とする。」（第７頁左下欄第１５行−右下欄第２行）
(i-i)　「変換駆動中の可変入賞装置（実施例の場合、始動口）に遊技球が入賞して始動口センサ３３が出力すると、第２の制御部３０は、別遊技を行なう可変表示装置４を駆動して可変表示を開始させる」（第７頁右下欄第７−１０行）
(i-j)　「また、第３の判定部２８で乱数値を判定した結果、その値が予め定めた数に当った場合には、別遊技を特定の結果態様（例えば大当り）にて終了させることになるが、特定の結果態様の確率は、例えば３００分の１に定められる。」（第８頁左上欄第１１−１５行）
　
　との記載が認められ、これらの記載によれば、第１引用例には、
　
「遊技球検出器による遊技球の検出によって０〜９の数字を可変表示する可変表示器と、該可変表示器の表示が特定の態様にて停止される時に、開くことで遊技球が入賞できる第２状態に変換駆動される始動口としての可変入賞装置と、該始動口に入った遊技球を検出する始動口センサと、該始動口センサの出力によって数字及び文字や図形等の可変表示が開始され別遊技が行なわれる可変表示装置と、該可変表示装置での別遊技の結果が特定の表示態様になった時に開く扉を備えた変動入賞装置とを設けたパチンコ遊技機において、可変表示器の表示が前記特定の態様にて停止される確率が２０分の１とされ、且つ、可変表示装置での別遊技の結果が前記特定の表示態様となる確率が３００分の１に定められると共に、第３の乱数発生部を備え、発射球カウンタ等からの出力信号に応じて第３の乱数発生部で乱数値を発生し、その値が予め定めた数に当った場合には、別遊技を特定の表示態様にて終了させるパチンコ遊技機」
　の発明（以下「第１引用発明」という。）が開示されていると認めることができる。
　
（２）第２引用例について
　
　また、当審が通知した取消理由に引用した、本願の出願の日前である平成２年５月２３日に頒布された特開平２―１３４１７９号公報（以下、「第２引用例」という。）には、
　
(ii-a)　「複数の数字、文字、図柄等の記号を表示する可変表示装置と、特定入賞口への打球の入賞に応じて可変表示装置の表示を更新する表示更新手段と、この表示更新の停止時の表示記号の組み合わせに応じて通常遊技の態様から大当たりの態様に変換する変動入賞装置とを備えたパチンコ機において、所定の確率で大当たりか大当たり以外かを決定する大当たり決定手段と、大当たりとなる表示記号の組み合わせを選出する特定表示選出手段と、大当たり以外の表示記号の組み合わせを選出する一般表示選出手段とを設け、大当たりと決定されたときは特定表示選出手段によって選出した表示記号の組み合わせにて、大当たり以外と決定されたときは一般表示選出手段によって選出した表示記号の組み合わせにて前記可変表示装置の表示更新を停止する表示決定手段を設けたことを特徴とするパチンコ機。」（特許請求の範囲）
(ii-b)　「主乱数ＲＡＮＤＯＭは、大当たり確率を生成する乱数で、０〜２３９までのバイナリカウンタで構成」（第６頁右上欄第２０行−左下欄第２行）
(ii-c)　「主乱数ＲＡＮＤＯＭを抽出し、このときＲＡＮＤＯＭ＝０であれば大当たり図柄選択用乱数ＨＩＴＰＯＩを抽出してＨＩＴＰＯＩの値に対応する大当たり図柄の組み合わせとなる値を選出」（第７頁右上欄第１８行−左下欄第２行）
(ii-d)　「当たりは前記乱数ＲＡＮＤＯＭの値により１／２４０の確率で発生し、このときのデジタル４４ａ〜４４ｃの停止図柄（当たり図柄）の組み合わせは乱数ＨＩＴＰＯＩの値に応じて第２６図（Ｂ）の中から選ばれる。」（第１３頁左上欄第４−８行）
(ii-e)　「また、大当たりとなると、大当たり図柄選択用乱数ＨＩＴＰＯＩにより大当たりの停止図柄の組み合わせが決定され、大当たり以外では、表示用乱数ＤＩＳＰＤＴにより外れの停止図柄の組み合わせが決定されるため、大当たりのときあるいは大当たり以外のときにも停止図柄の組み合わせが偏ったりすることはなく、ランダムな組み合わせを出現させることができ」（第１５頁右上欄第１９行−左下欄第６行）
(ii-f)　「ＲＡＮＤＯＭとＤＩＳＰＤＴ、ＨＩＴＰＯＩにより、大当たりと停止図柄を別々に決定するので、表示図柄の組み合わせ数にかかわらず、ＲＡＮＤＯＭの値により大当たりの発生確率を任意に設定することができる。」（第１５頁左下欄第１１−１６行）
　
　との記載が認められ、これらの記載によれば、第２引用例には、
　
「複数の数字、文字、図柄等の記号を表示する可変表示装置と、特定入賞口への打球の入賞に応じて可変表示装置の表示を更新する表示更新手段と、この表示更新の停止時の表示図柄の組合せに応じて通常遊技の態様から大当たりの態様に変換する変動入賞装置とを備えたパチンコ機であって、大当たりとなる表示図柄の組合せとして所定の複数種類の組合せがあるものにおいて、０〜２３９の間で更新されるバイナリカウンタで構成される主乱数ＲＡＮＤＯＭを備え、当該主乱数ＲＡＮＤＯＭから抽出した値が大当たりの値か否かにより大当たり確率を生成し、さらに、大当たりと決定されたときは大当たり図柄選択用乱数ＨＩＴＰＯＩに基づいて表示図柄の組合せを選出し、当該選出した表示図柄の組合せにて可変表示装置の表示更新を停止させることにより、大当たりか否かと停止図柄の組合せとを別々に決定するようにしたパチンコ機」
　との発明（以下「第２引用発明」という。）が開示されていると認めることができる。
　
２．本件訂正後発明と各引用発明との対比
　
　本件訂正後発明と第１引用発明とを比較すると、
　
（１）　第１引用発明の「遊技球検出器」、「始動口としての可変入賞装置」、「始動口センサ」、「変動入賞装置」は、本件訂正後発明の「第１の検出手段」、「第１の変動入賞装置」、「第２の検出手段」、「第２の変動入賞装置」に、それぞれ相当する。
（２）　第１引用発明において可変表示器に表示される「０〜９の数字」と、可変表示装置に表示される「数字及び文字や図形等」は、それぞれ、本件訂正後発明の「第１の図柄」及び「第２の図柄」に相当する。
（３）　第１引用発明の「第３の乱数発生部」は、その発生する値によって当たりであるか否かが決まるから、本件訂正後発明の「抽選用数値手段」に相当する。
（４）　第１引用発明の「可変表示器の表示が特定の態様にて停止される」、及び、「可変表示装置での別遊技の結果が特定の表示態様になる」は、本件訂正後発明の「第１の図柄表示部に前記第１の図柄により所定の表示態様が表示される」、及び、「第２の図柄表示部に前記第２の図柄により所定の表示態様が表示される」に相当する。
（５）　第１引用発明の「可変表示器」は本件訂正後発明の「表示体」に相当するものであって、その表示体の「表示面上に」、０〜９の数字を表示する部分が設けられていることは明らかであり、当該部分が本件訂正後発明の「第１の図柄表示部」に相当する。
（６）　第１引用発明の「可変表示装置」において数字及び文字や図形等を表示する部分が本件訂正後発明の「第２の図柄表示部」に相当する。
　
　したがって、本件訂正後発明と第１引用発明とは、
「第１の検出手段による遊技球の検出によって第１の図柄を変動表示する第１の図柄表示部と、該第１の図柄表示部に前記第１の図柄により所定の表示態様が表示される時に拡開作動する第１の変動入賞装置と、前記第１の変動入賞装置への入賞を検出する第２の検出手段と、前記第２の検出手段による遊技球の検出によって第２の図柄を変動表示する第２の図柄表示部と、該第２の図柄表示部に前記第２の図柄により所定の組合せ図柄の表示態様が表示される時に拡開作動する第２の変動入賞装置とを設けたパチンコ遊技機において、前記第１の図柄表示部に前記第１の図柄によって前記所定の表示態様が表示される確率が、前記第２の図柄表示部に前記第２の図柄によって前記所定の表示態様が表示される確率よりも高い確率に設定されると共に、抽選用数値手段を備え、前記抽選用数値手段の値が当りであるか否かにより乱数的に設定される確率に基いて前記第２の図柄表示部に前記第２の図柄によって所定の組合せ図柄の表示態様が表示されるように制御することを特徴とするパチンコ遊技機。」
　の点で一致し、次の点において相違する。
　
（相違点１）
　第１及び第２の検出手段による遊技球の検出数について、本件訂正後発明では、当該検出数を記憶する第１及び第２の記憶手段を設けているのに対し、第１引用発明では、そのような記憶手段を設けているか明らかでない点。
　
（相違点２）
　第２の図柄表示部における可変表示を当りとするか否かの決定のために、本件訂正後発明では、所定の範囲内で更新される抽選用数値手段を用いて、その現在値を抽選しており、且つ、その抽選が「第２の検出手段の検出信号に応じて」行われるのに対し、第１引用発明では、発射球カウンタ等からの出力信号に応じて発生する乱数を用いている点。
　
（相違点３）
　第２の変動入賞装置を拡開作動させる（「当り」の）所定の組合せ図柄が、本件訂正後発明では、「複数種類の組合せ図柄のうちのいずれかの組合せ図柄」とされているのに対し、第１引用発明では、第１引用例に「大当たりの表示（例えば「７７７」）」との記載があるにすぎず、複数種類とすることについては記載がない点。
　
（相違点４）
　本件訂正後発明では、「前記第１の図柄表示部と、前記第１の記憶手段に記憶された前記第１の検出手段による検出数を表示する第１の記憶数表示部とを表示体の表示面上に設け、前記第１の変動入賞装置が拡開作動する作動条件の成立と、前記第１の検出手段による検出数とをそれぞれ前記表示面上の表示によって報知可能」としているのに対し、第１引用発明では、第１の図柄表示部（可変表示器）は表示体の表示面上に設けられているが、検出数を表示することについては記載がない点。
　
３．相違点についての検討
　
　上記相違点１乃至４について検討する。
　
（相違点１について）
　始動口への遊技球の入賞により図柄表示部の図柄を変動表示させ、図柄表示部に所定の組合せ図柄の表示態様が表示された場合に変動入賞装置を拡開作動させるパチンコ遊技機において、始動口に入賞した遊技球の検出数を記憶する記憶手段を設けることは慣用的に行われているから（第２引用例のほか、特開平２−２３９７８号公報（第４頁左下欄）、特開昭６１−２０９６８２号公報、特開平２−９８３９１号公報など参照）、第１引用発明のパチンコ遊技機において始動口を構成している第１及び第２の検出手段に対して当該慣用の記憶手段を採用することは設計的に為し得たことである。
　
（相違点２について）
　図柄表示部に表示される組合せ図柄によって当りか否かが抽選されるパチンコ機において、所定の範囲内で更新される抽選用数値手段を設け、当該抽選用数値手段の現在値を始動口への遊技球の入賞の検出信号に応じて抽選して「当り」か否かを決定することは周知技術にすぎない（特開平２−１４２５８０号公報（第８頁左上欄）、特開平２−２３９７８号公報参照）。
　
（相違点３について）
　「当り」となる所定の組合せ図柄を複数種類とすることは慣用的に行われていることにすぎない。そして、第１引用発明のパチンコ遊技機における「当り」の組合せ図柄を複数種類とする場合に、複数種類の組合せ図柄から停止時の組合せ図柄を決定する手法として上記第２引用発明を適用することにより、抽選した抽選用数値手段の現在値が当りであるか否かにより乱数的に設定される確率に基いて所定の複数種類の組合せ図柄のうちのいずれかの組合せ図柄の表示態様が表示されるように制御する構成は、当業者であれば容易に想到し得たことである。
　
（相違点４について）
　第１引用発明には可変表示器が設けられていて、当該可変表示器は、表示体に相当し、且つ、その表示面上に第１の図柄表示部を有しているものである。そして、その停止時の表示結果が所定の識別情報となれば始動口としての可変入賞装置（第１の変動入賞装置）が開成制御されるから、表示体の表示面上に設けられた図柄表示部によって、始動口としての可変入賞装置（第１の変動入賞装置）が拡開作動する作動条件の成立を報知していることは明らかである。
　また、入賞遊技球の検出数を表示する表示体をパチンコ遊技機に設け、当該表示体の表示面上に前記検出数を表示する表示部を構成することにより、当該検出数を表示面上の表示によって報知可能とすることは周知の技術である（上記特開昭６１−２０９６８２号公報第２頁左下欄第１４−１８行、第５頁右下欄第１−１４行、上記特開平２−９８３９１号公報第３頁右下欄第９−１９行など参照）。してみると、第１引用発明のパチンコ機に表示体を設け、当該表示体の表示面上に遊技球検出器（第１の検出手段）による検出数を表示する表示部を設けて、遊技球検出器による検出数を当該表示面上の表示によって報知可能とすることは、当業者が容易に想到し得たことである。
　以上をまとめると、第１引用発明は第１の図柄表示部を表示体の表示面上に設けたものであって、且つ、その第１引用発明に、第１の記憶手段に記憶された第１の検出手段による検出数を表示する第１の記憶数表示部を表示面上に設けた表示体を設けることは、上記周知技術の適用により当業者が容易に想到し得たことである。そして、それにより、第１の変動入賞装置が拡開作動する作動条件の成立と、第１の検出手段による検出数とが、それぞれ表示面上の表示によって報知可能になることは、周知技術の適用により直ちに得られる作用であって格別のことではない。
　
　そして、本件訂正後発明の効果は、第１引用発明、第２引用発明、及び、上記の周知技術から当業者が予測できる範囲のものである。
　
　したがって、本件訂正後発明は、上記第１引用発明及び第２引用発明に基づいて当業者が容易に発明をすることができたものであるから、本件訂正後発明の特許は、特許法第２９条第２項の規定に違反してされたものである。
　
　なお、特許権者は平成１５年４月１５日付の特許異議意見書において、本件訂正後発明では、第１の図柄による変動表示結果の表示と、第１の検出手段による検出数の表示とが「１つの表示体」の表示面上で行われる旨、主張しているが、本件訂正後発明は「１つの表示体」に限定されたものではないから、当該主張は、訂正後の請求項の記載に基づいたものではない。それに、パチンコ遊技機において、図柄を変動表示する１つの表示体の表示面上に、図柄以外の遊技関連情報を表示することは周知の技術にすぎないし（特開平２−３０２２８５号公報第５頁右上欄第５―１１行、特開平２−１４９２８３号公報、特開平２−２０９１７９号公報右上欄第７−１７行など参照）、始動口に入賞した遊技球の検出数を表示する上記周知技術で、検出数の表示部を図柄表示部と隣接した位置に配置していることからしても、検出数の表示部を第１の図柄の変動表示結果を表示する表示体の同じ表示面上に設けることに格別の困難性はない。
　
　
四．むすび
　
　以上のとおり、本件訂正後発明の特許は、特許法第２９条の２第１項の規定に違反してされ、あるいは、特許法第２９条第２項の規定に違反してされたものである。
　したがって、本件訂正後発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年５月１９日（２００３．５．１９）
【訂正の要旨】
　▲１▼　訂正事項ａ
　特許明細書（特許掲載公報）の【特許請求の範囲】の【請求項１】に係る記載
　「第１の検出手段による遊技球の検出によって第１の図柄を変動表示する第１の図柄表示部と、該第１の図柄表示部に前記第１の図柄により所定の表示態様が表示される時に拡開作動する第１の変動入賞装置と、前記第１の変動入賞装置への入賞を検出する第２の検出手段と、前記第２の検出手段による遊技球の検出によって第２の図柄を変動表示する第２の図柄表示部と、該第２の図柄表示部に前記第２の図柄により所定の複数種類の組合せ図柄のうちのいずれかの組合せ図柄の表示態様が表示される時に拡開作動する第２の変動入賞装置と、前記第１の検出手段による遊技球の検出数を記憶する第１の記憶手段と、前記第２の検出手段による遊技球の検出数を記憶する第２の記憶手段とを設けたパチンコ遊技機において、前記第１の図柄表示部に前記第１の図柄によって前記所定の表示態様が表示される確率が、前記第２の図柄表示部に前記第２の図柄によって前記所定の表示態様が表示される確率よりも高い確率に設定されると共に、所定の範囲内で更新される抽選用数値手段を備え、前記第２の検出手段の検出信号に応じて前記抽選用数値手段の現在値を抽選し、抽選した前記抽選用数値手段の現在値が当りであるか否かにより乱数的に設定される確率に基いて前記第２の図柄表示部に前記第２の図柄によって所定の複数種類の組合せ図柄のうちのいずれかの組合せ図柄の表示態様が表示されるように制御することを特徴とするパチンコ遊技機。」
を、
「第１の検出手段による遊技球の検出によって第１の図柄を変動表示する第１の図柄表示部と、該第１の図柄表示部に前記第１の図柄により所定の表示態様が表示される時に拡開作動する第１の変動入賞装置と、前記第１の変動入賞装置への入賞を検出する第２の検出手段と、前記第２の検出手段による遊技球の検出によって第２の図柄を変動表示する第２の図柄表示部と、該第２の図柄表示部に前記第２の図柄により所定の複数種類の組合せ図柄のうちのいずれかの組合せ図柄の表示態様が表示される時に拡開作動する第２の変動入賞装置と、前記第１の検出手段による遊技球の検出数を記憶する第１の記憶手段と、前記第２の検出手段による遊技球の検出数を記憶する第２の記憶手段とを設けたパチンコ遊技機において、前記第１の図柄表示部に前記第１の図柄によって前記所定の表示態様が表示される確率が、前記第２の図柄表示部に前記第２の図柄によって前記所定の表示態様が表示される確率よりも高い確率に設定されると共に、所定の範囲内で更新される抽選用数値手段を備え、前記第２の検出手段の検出信号に応じて前記抽選用数値手段の現在値を抽選し、抽選した前記抽選用数値手段の現在値が当りであるか否かにより乱数的に設定される確率に基いて前記第２の図柄表示部に前記第２の図柄によって所定の複数種類の組合せ図柄のうちのいずれかの組合せ図柄の表示態様が表示されるように制御
し、前記第１の図柄表示部と、前記第１の記憶手段に記憶された前記第１の検出手段による検出数を表示する第１の記憶数表示部とを表示体の表示面上に設け、前記第１の変動入賞装置が拡開作動する作動条件の成立と、前記第１の検出手段による検出数とをそれぞれ前記表示面上の表示によって報知可能とした
と訂正する。
　▲２▼　訂正事項ｂ
　特許明細書（特許掲載公報）の【特許請求の範囲】の【請求項２】に係る記載
「前記第２の図柄表示部に前記第２の図柄によって表示される組合せ図柄を、前記抽選用数値手段の抽選結果の判定とは別処理で作成する図柄組合せステップと、作成された図柄組合せを記憶する記憶ステップとを備え、前記抽選用数値手段の抽選結果の判定に応じて前記記憶ステップで予め記憶されている図柄を表示するように制御することを特徴とする請求項１に記載のパチンコ遊技機。」を、
削除する。
　▲３▼　訂正事項ｃ
　同特許掲載公報の第４欄の（段落【０００６】）第１９行乃至同欄第４４行に記載の「請求項１に記載のパチンコ遊技機は、第１の検出手段による遊技球の検出によって第１の図柄を変動表示する第１の図柄表示部と、該第１の図柄表示部に前記第１の図柄により所定の表示態様が表示される時に拡開作動する第１の変動入賞装置と、前記第１の変動入賞装置への入賞を検出する第２の検出手段と、前記第２の検出手段による遊技球の検出によって第２の図柄を変動表示する第２の図柄表示部と、該第２の図柄表示部に前記第２の図柄により所定の複数種類の組合せ図柄のうちのいずれかの組合せ図柄の表示態様が表示される時に拡開作動する第２の変動入賞装置と、前記第１の検出手段による遊技球の検出数を記憶する第１の記憶手段と、前記第２の検出手段による遊技球の検出数を記憶する第２の記憶手段とを設けたものであって、上記課題を解決するために、前記第１の図柄表示部に前記第１の図柄によって前記所定の表示態様が表示される確率が、前記第２の図柄表示部に前記第２の図柄によって前記所定の表示態様が表示される確率よりも高い確率に設定されると共に、所定の範囲内で更新される抽選用数値手段を備え、前記第２の検出手段の検出信号に応じて前記抽選用数値手段の現在値を抽選し、抽選した前記抽選用数値手段の現在値が当りであるか否かにより乱数的に設定される確率に基いて前記第２の図柄表示部に前記第２の図柄によって所定の複数種類の組合せ図柄のうちのいずれかの組合せ図柄の表示態様が表示されるように制御することを特徴とする。」
を
「請求項１に記載のパチンコ遊技機は、第１の検出手段による遊技球の検出によって第１の図柄を変動表示する第１の図柄表示部と、該第１の図柄表示部に前記第１の図柄により所定の表示態様が表示される時に拡開作動する第１の変動入賞装置と、前記第１の変動入賞装置への入賞を検出する第２の検出手段と、前記第２の検出手段による遊技球の検出によって第２の図柄を変動表示する第２の図柄表示部と、該第２の図柄表示部に前記第２の図柄により所定の複数種類の組合せ図柄のうちのいずれかの組合せ図柄の表示態様が表示される時に拡開作動する第２の変動入賞装置と、前記第１の検出手段による遊技球の検出数を記憶する第１の記憶手段と、前記第２の検出手段による遊技球の検出数を記憶する第２の記憶手段とを設けたものであって、上記課題を解決するために、前記第１の図柄表示部に前記第１の図柄によって前記所定の表示態様が表示される確率が、前記第２の図柄表示部に前記第２の図柄によって前記所定の表示態様が表示される確率よりも高い確率に設定されると共に、所定の範囲内で更新される抽選用数値手段を備え、前記第２の検出手段の検出信号に応じて前記抽選用数値手段の現在値を抽選し、抽選した前記抽選用数値手段の現在値が当りであるか否かにより乱数的に設定される確率に基いて前記第２の図柄表示部に前記第２の図柄によって所定の複数種類の組合せ図柄のうちのいずれかの組合せ図柄の表示態様が表示されるように制御
し、前記第１の図柄表示部と、前記第１の記憶手段に記憶された前記第１の検出手段による検出数を表示する第１の記憶数表示部とを表示体の表示面上に設け、前記第１の変動入賞装置が拡開作動する作動条件の成立と、前記第１の検出手段による検出数とをそれぞれ前記表示面上の表示によって報知可能とした
と訂正する。
　▲４▼　訂正事項ｄ
　同特許掲載公報の第４欄（段落【０００７】）第４５行乃至第５欄第３行に記載の「請求項２に記載のパチンコ遊技機は、請求項１に記載のものにおいて、前記第２の図柄表示部に前記第２の図柄によって表示される組合せ図柄を、前記抽選用数値手段の抽選結果の判定とは別処理で作成する図柄組合せステップと、作成された図柄組合せを記憶する記憶ステップとを備え、前記抽選用数値手段の抽選結果の判定に応じて前記記憶ステップで予め記憶されている図柄を表示するように制御することを特徴とする構成を有するものである。」を、
削除する。
　▲５▼　訂正事項ｅ
　同特許掲載公報の第４１欄（段落【０１４８】）第２５行乃至同欄第３５行に記載の「請求項２に記載の構成によれば、第２の図柄表示部に第２の図柄によって表示される組合せ図柄を、抽選用数値手段の抽選結果の判定とは別処理で作成する図柄組合せステップと、作成された図柄組合せを記憶する記憶ステップとを備え、抽選用数値手段の抽選結果の判定に応じて記憶ステップで予め記憶されている図柄を表示するように制御するので、抽選用数値手段の抽選結果の判定結果が当りの場合、所定の複数種類の組合せ図柄のうちのいずれが表示されるかをランダムにすることができ、判定結果がはずれの場合も、表示するはずれ組合せ図柄をランダムにすることができる。」を、
削除する。
（５４）【発明の名称】
パチンコ遊技機
（５７）【特許請求の範囲】
　【請求項１】　第１の検出手段による遊技球の検出によって第１の図柄を変動表示する第１の図柄表示部と、該第１の図柄表示部に前記第１の図柄により所定の表示態様が表示される時に拡開作動する第１の変動入賞装置と、前記第１の変動入賞装置への入賞を検出する第２の検出手段と、前記第２の検出手段による遊技球の検出によって第２の図柄を変動表示する第２の図柄表示部と、該第２の図柄表示部に前記第２の図柄により所定の複数種類の組合せ図柄のうちのいずれかの組合せ図柄の表示態様が表示される時に拡開作動する第２の変動入賞装置と、前記第１の検出手段による遊技球の検出数を記憶する第１の記憶手段と、前記第２の検出手段による遊技球の検出数を記憶する第２の記憶手段とを設けたパチンコ遊技機において、
前記第１の図柄表示部に前記第１の図柄によって前記所定の表示態様が表示される確率が、前記第２の図柄表示部に前記第２の図柄によって前記所定の表示態様が表示される確率よりも高い確率に設定されると共に、所定の範囲内で更新される抽選用数値手段を備え、前記第２の検出手段の検出信号に応じて前記抽選用数値手段の現在値を抽選し、抽選した前記抽選用数値手段の現在値が当りであるか否かにより乱数的に設定される確率に基いて前記第２の図柄表示部に前記第２の図柄によって所定の複数種類の組合せ図柄のうちのいずれかの組合せ図柄の表示態様が表示されるように制御
し、前記第１の図柄表示部と、前記第１の記憶手段に記憶された前記第１の検出手段による検出数を表示する第１の記憶数表示部とを表示体の表示面上に設け、前記第１の変動入賞装置が拡開作動する作動条件の成立と、前記第１の検出手段による検出数とをそれぞれ前記表示面上の表示によって報知可能とした
【発明の詳細な説明】
　【０００１】
　【発明の属する技術分野】
　本発明は、第１の検出手段による遊技球の検出によって第１の図柄を変動表示する第１の図柄表示部と、該第１の図柄表示部に前記第１の図柄により所定の表示態様が表示される時に拡開作動する第１の変動入賞装置と、前記第１の変動入賞装置への入賞を検出する第２の検出手段と、前記第２の検出手段による遊技球の検出によって第２の図柄を変動表示する第２の図柄表示部と、該第２の図柄表示部に前記第２の図柄により所定の複数種類の組合せ図柄のうちのいずれかの組合せ図柄の表示態様が表示される時に拡開作動する第２の変動入賞装置と、前記第１の検出手段による遊技球の検出数を記憶する第１の記憶手段と、前記第２の検出手段による遊技球の検出数を記憶する第２の記憶手段とを設けたパチンコ遊技機に関する。
　【０００２】
　【従来の技術】
　特開平４−９２６８８号公報には、遊技盤面に、３つのセグメント表示器を備えた可変表示装置と、可変表示装置の３つの表示器の変動表示を開始させる特定入賞口（始動口）と、可変表示装置の３つの表示器において停止された数字の組み合わせが予め定めた賞態様となった場合に（いわゆる大当り発生となった場合に）特別遊技として所定の開放動作を行う変動入賞装置と、１つのセグメント表示器より構成した補助可変表示器と、補助可変表示器において変動表示を開始させる入賞口と、補助可変表示器において停止された数字が予め定めた賞態様となった場合に補助特別遊技として所定の拡開動作を行う補助変動入賞装置とを備えたパチンコ遊技機が記載されている。
　【０００３】
　上記特開平４−９２６８８号公報に記載のパチンコ遊技機は、可変表示装置の３つの表示器において停止された数字の組み合わせが予め定めた賞態様となった場合に特別遊技として変動入賞装置が開放動作するだけでなく、補助可変表示器において停止された数字が予め定めた賞態様となった場合に補助特別遊技として補助変動入賞装置が所定の拡開動作を行うことによって、遊技者に入賞の期待感を持たせ遊技意欲を高揚させるものである。
　【０００４】
　ところで、可変表示装置の変動表示結果により大当りを発生させるタイプのパチンコ遊技機にあっては、遊技者の最終興味は可変表示装置における大当り発生にあるが、大当り発生となるためには、始動口に数多く入賞する方が有利である。上記従来のパチンコ遊技機は、補助変動入賞装置の入賞口も可変表示装置を変動表示させる始動口に設定されており、補助変動入賞装置の入賞口が、補助可変表示器の変動結果の如何によって拡開動作される場合には、始動口に入賞するチャンス拡大となるので、遊技者の関心も補助可変表示器の変動結果にある程度集中する。なお、上記特開平４−９２６８８号公報には、可変表示装置に停止された数字の組合せが予め設定した賞態様に一致する確率ついては特に述べられていない。
　【０００５】
　【発明が解決しようとする課題】
　本発明の目的は、変動表示される第２の図柄の種類や図柄の組合せ数が如何なる数であるかに無関係に第２の図柄によって所定の複数種類の組合せ図柄のうちのいずれかの表示態様が表示される確率を設定できると共に、当りの場合、所定の複数種類の組合せ図柄のうちのいずれが表示されるかをランダムにすることができる遊技効果の高いパチンコ遊技機を提供することにある。
　【０００６】
　【課題を解決するための手段】
　請求項１に記載のパチンコ遊技機は、第１の検出手段による遊技球の検出によって第１の図柄を変動表示する第１の図柄表示部と、該第１の図柄表示部に前記第１の図柄により所定の表示態様が表示される時に拡開作動する第１の変動入賞装置と、前記第１の変動入賞装置への入賞を検出する第２の検出手段と、前記第２の検出手段による遊技球の検出によって第２の図柄を変動表示する第２の図柄表示部と、該第２の図柄表示部に前記第２の図柄により所定の複数種類の組合せ図柄のうちのいずれかの組合せ図柄の表示態様が表示される時に拡開作動する第２の変動入賞装置と、前記第１の検出手段による遊技球の検出数を記憶する第１の記憶手段と、前記第２の検出手段による遊技球の検出数を記憶する第２の記憶手段とを設けたものであって、上記課題を解決するために、前記第１の図柄表示部に前記第１の図柄によって前記所定の表示態様が表示される確率が、前記第２の図柄表示部に前記第２の図柄によって前記所定の表示態様が表示される確率よりも高い確率に設定されると共に、所定の範囲内で更新される抽選用数値手段を備え、前記第２の検出手段の検出信号に応じて前記抽選用数値手段の現在値を抽選し、抽選した前記抽選用数値手段の現在値が当りであるか否かにより乱数的に設定される確率に基いて前記第２の図柄表示部に前記第２の図柄によって所定の複数種類の組合せ図柄のうちのいずれかの組合せ図柄の表示態様が表示されるように制御
し、前記第１の図柄表示部と、前記第１の記憶手段に記憶された前記第１の検出手段による検出数を表示する第１の記憶数表示部とを表示体の表示面上に設け、前記第１の変動入賞装置が拡開作動する作動条件の成立と、前記第１の検出手段による検出数とをそれぞれ前記表示面上の表示によって報知可能とした
　【０００７】
　【０００８】
　【発明の実施の形態】
　以下、本発明の実施の形態を図面に基づいて詳細に説明する。図１において、遊技盤１の略中央部にはパチンコ機の図柄表示装置の主要部を構成する図柄表示ユニット２が配備され、図柄表示ユニット２の左右にそれぞれ普通図柄作動口である左ゲート５及び右ゲート６が配置され、更に遊技盤１の中央下部には左，右ゲート５，６と同形状の飾り部材４１があって、さらに飾り部材４１の下方には図柄表示ユニット２に連動し、ソレノイド等で開閉駆動される電動役物普通入賞装置（第１の変動入賞装置）の入賞口としての中第１種始動口３が配設されている。
　【０００９】
　図柄表示ユニット２内中央には、ドットマトリクスＬＥＤにより表示される普通図柄表示部２２ａからなる第１の図柄表示部と、特別図柄表示部２２ｂからなる第２の図柄表示部および記憶数表示部２５が設けられている。
　【００１０】
　又、左ゲート５と右ゲート６の内部には、左普通図柄作動スイッチＳＷ５と右普通図柄作動スイッチＳＷ６からなる第１の検出手段が配設されている。そして、中第１種始動口３は、左普通図柄作動検出スイッチＳＷ５または右普通図柄作動検出スイッチＳＷ６により、図柄表示ユニット２の特定される図柄一致に基づいて連続開閉動作を行い、１開放動作０．６秒間、１閉鎖動作３．６秒間として開閉動作の継続時間を２１．６秒間に設定され、開閉動作を６回行う。
　【００１１】
　入賞装置１４は、その略中央にはソレノイド等で開閉駆動される大入賞口１５が配備され、大入賞口１５の両側には左第１種始動口１６と右第１種始動口１７が配設されている。中第１種始動口３と左第１種始動口１６および右第１種始動口１７の内部には中第１種始動口入賞検出スイッチＳＷ１と左第１種始動口入賞検出スイッチＳＷ２および右第１種始動口入賞検出スイッチＳＷ３の各々からなる第２の検出手段が配設されている。
　【００１２】
　入賞装置１４における大入賞口１５の内部には、遊技球分け壁１８，１９によって３つの入賞領域に区分され、遊技球分け壁１８，１９を両側とする中央の入賞領域には、大入賞口１５を連続開放させる役物連続作動装置としての特定領域入賞検出スイッチＳＷ４による大入賞口１５の連続開放回数を数値表示する連続回数表示ＬＥＤ２０と大入賞口１５の１開放動作中の入賞数を数値表示する大入賞口入賞数表示ＬＥＤ２１が配設されている。なお、大入賞口１５の連続開放動作は、図柄表示ユニット２の図柄一致に基づく第１回目の開放動作と特定領域入賞検出スイッチＳＷ４の作動による連続開放動作とを合わせて最高１６回までである。大入賞口１５の１開放動作の継続時間は２９．５秒に設定されているが、１開放動作中に大入賞口１５に入賞した遊技球の総数が１０個を越えた場合には、１０個目の入賞検出を以て１開放動作を完了するようになっている。
　【００１３】
　左普通図柄作動スイッチＳＷ５及び右普通図柄作動スイッチＳＷ６は第１の検出手段であり、中第１種始動口入賞検出スイッチＳＷ１と左第１種始動口入賞検出スイッチＳＷ２および右第１種始動口入賞検出スイッチＳＷ３は第２の検出手段である。また、中第１種始動口３は第１の変動入賞装置の入賞口であり、入賞装置１４の大入賞口１５は第２の変動入賞装置の入賞口である。
　【００１４】
　図１において、左下入賞口４、右下入賞口７、ランプ付風車８、風車９、アウト球受口１１、球誘導レール１２、返しゴム１３の各要素については周知であるから説明を省略する。
　【００１５】
　５０は表示灯Ａ，５１は表示灯Ｂ，５２は表示灯Ｃ，５３は表示灯Ｄ，５４は装飾ＬＥＤである。
　【００１６】
　図２は、図柄表示ユニット２を中央で上下に割って示す断面図であり、該図柄表示ユニット２は、遊技盤面に対して略平行に配備されたドットマトリクスＬＥＤ表示体２３と遊技盤面に対して略直角に配備されたドットマトリクスＬＥＤ表示体２２を備え、ドットマトリクスＬＥＤ表示体２３による図柄表示とドットマトリクスＬＥＤ表示体２２による図柄表示の鏡像とが共に遊技盤１の手前から視認できるような位置にハーフミラー２４が傾斜して配設されている。
　【００１７】
　ドットマトリクスＬＥＤ表示体２３は遊技盤に対し傾斜して配備されたハーフミラー２４を透過して図柄を表示する図柄表示手段であり、又、ドットマトリクスＬＥＤ表示体２２はハーフミラー２４の反射面を介して図柄を表示する図柄表示手段である。ドットマトリクスＬＥＤ表示体２３からハーフミラー２４の反射面に至る距離はドットマトリクスＬＥＤ表示体２２からハーフミラー２４の反射面に至る距離に比べて短い。
　【００１８】
　図３は略矩形のドットマトリクスＬＥＤ表示体２２の一縁２２ｃを上に向けて表示面２２ｄの側からドットマトリクスＬＥＤ表示体２２を示す平面図であり、遊技盤１において視認される特別図柄表示部２２ｂは、ドットマトリクスＬＥＤ表示体２２を構成するＬＥＤ素子の１行１列乃至８行２４列までの１９２素子によって構成され、遊技盤１において視認される普通図柄表示部２２ａは、ドットマトリクスＬＥＤ表示体２２を構成するＬＥＤ素子の９行９列乃至９行２４列までの１２８素子によって構成されている。詳しくは、ドットマトリクスＬＥＤ表示体２２を構成するＬＥＤ素子の１行１列乃至８行８までの６４素子と１行９列乃至８行１６列までの６４素子及び１行１７列乃至８行２４列までの６４素子の各々により、特別図柄を表示するための左特別図柄表示ＬＥＤ（Ｌ）と中特別図柄表示ＬＥＤ（Ｃ）及び右特別図柄表示ＬＥＤ（Ｒ）が構成され、ドットマトリクスＬＥＤ表示体２２の９行９列乃至１６行１６列までの６４素子と９行１７列乃至１６行２４列までの６４素子の各々により、普通図柄を表示するための左普通図柄表示ＬＥＤ（Ａ）と右普通図柄表示ＬＥＤ（Ｂ）が構成されている。
　【００１９】
　そして、遊技盤１において視認される記憶数表示部２５は、ドットマトリクスＬＥＤ表示体２２の９行１列乃至８行１６列までの６４素子により構成される記憶数表示ＬＥＤ（Ｎ）に対応している。記憶数表示ＬＥＤ（Ｎ）は、普通図柄変動表示実行中、又は中第１種始動口３の開閉動作中、又は特別図柄変動表示実行中および大入賞口１５の開放動作中に左ゲート５，右ゲート６を通過して左普通図柄作動スイッチＳＷ５または右普通図柄作動スイッチＳＷ６によって検出された遊技球の数を、普通図柄合わせの実行回数として現在普通図柄変動表示実行中の場合も含めて最高４回まで数字表示し、遊技者に知らせる。
　【００２０】
　ドットマトリクスＬＥＤ表示体２２の左普通図柄表示ＬＥＤ（Ａ）及び右普通図柄表示ＬＥＤ（Ｂ）は第１の図柄表示部であり、また、左特別図柄表示ＬＥＤ（Ｌ）と中特別図柄表示ＬＥＤ（Ｃ）及び右特別図柄表示ＬＥＤ（Ｒ）は第２の図柄表示部である。
　【００２１】
　図４はドットマトリクスＬＥＤ表示体２３を遊技盤１の手前から見て示す平面図であり、ドットマトリクスＬＥＤ表示体２３を構成するＬＥＤ素子の１行１列乃至８行８列までの６４素子と１行９列乃至８行１６列までの６４素子及び１行１７列乃至８行２４列までの６４素子の各々により、左特別図柄表示ＬＥＤ（ｌ）と中特別図柄表示ＬＥＤ（ｃ）及び右特別図柄表示ＬＥＤ（ｒ）が構成されている。
　【００２２】
　左特別図柄表示ＬＥＤ（ｌ），中特別図柄表示ＬＥＤ（ｃ），右特別図柄表示ＬＥＤ（ｒ）の各々は第２の図柄表示部の一部を構成するドットマトリクスＬＥＤ表示体２３の図柄表示単位面であり、また、左特別図柄表示ＬＥＤ（Ｌ），中特別図柄表示ＬＥＤ（Ｃ），右特別図柄表示ＬＥＤ（Ｒ）の各々は第２の図柄表示部の一部を構成するドットマトリクスＬＥＤ表示体２２の図柄表示単位面である。
　【００２３】
　ドットマトリクスＬＥＤ表示体２２及びドットマトリクスＬＥＤ表示体２３とハーフミラー２４は、ドットマトリクスＬＥＤ２３の図柄表示単位面である左特別図柄表示ＬＥＤ（ｌ），中特別図柄表示ＬＥＤ（ｃ），右特別図柄表示ＬＥＤ（ｒ）の図柄表示とドットマトリクスＬＥＤ表示体２２の図柄表示単位面である左特別図柄表示ＬＥＤ（Ｌ），中特別図柄表示ＬＥＤ（Ｃ），右特別図柄表示ＬＥＤ（Ｒ）の各図柄表示の鏡像とが重なって見えるような位置に配備される。なお、透明カバー部材２９ａは、ドットマトリクスＬＥＤ表示体２２の表示面を保護するためのものである。
　【００２４】
　図柄表示ユニット２は、その頂部に天入賞口７を備え、また、ハーフミラー２４の後方下部には文字表示ＬＥＤ２６と記憶数表示ＬＥＤ２７が配設されている。記憶数表示ＬＥＤ２７は図柄の変動表示実行中もしくは大入賞口１５の開放動作中に左，中，右第１種始動口１６，３，１７に入賞した遊技球の数を図柄合わせの実行回数として最高４回まで点灯個数で表示し、文字表示ＬＥＤ２６は記憶数表示ＬＥＤ２７の機能を“ＭＥＭＯＲＹ”等の文字表示で遊技者に知らせる。また、図柄表示ユニット２におけるハーフミラー２４の手前に穿設された略矩形の覗き窓２８の上縁にはアーチ型の遊技球振り分け部２９が突設され、遊技球の転動による視認阻害や図柄表示ユニット２内部への不用意な遊技球の侵入を防止している。
　【００２５】
　図２７において、図柄表示ユニット２の制御部４０は、図柄表示ユニット２の制御プログラムや表示図柄のデータ等を格納したＲＯＭ３０とデータの一時記憶等に用いられるＲＡＭ３１及びＲＯＭ３０の制御プログラムに従って図柄表示ユニット２の各部を駆動制御するＣＰＵ３２によって構成され、該制御部４０は表示制御手段と条件検出手段を兼ねる。また、ＲＯＭ３０の制御プログラムには、ドットマトリクスＬＥＤ表示体２３やドットマトリクスＬＥＤ表示体２２への表示出力の切替え動作を制御する設定条件となる表示制御プログラムが含まれる。なお、ここでいうＲＯＭは書き込みや書き替えの不能な記憶手段を意味するものではない。
　【００２６】
　左，中，右第１種始動口１６，３，１７に配備された第１種始動口入賞検出スイッチＳＷ１，ＳＷ２，ＳＷ３と左ゲート５及び右ゲート６に配備された普通図柄作動検出スイッチＳＷ５，ＳＷ６の各々は、スイッチ検出部３３を介してＣＰＵ３２に接続され、また、ドットマトリクスＬＥＤ表示体２２，２３に置ける左，中，右特別図柄表示ＬＥＤ（Ｌ），（Ｃ），（Ｒ），（ｌ），（ｃ），（ｒ）と左，右普通図柄表示ＬＥＤ（Ａ），（Ｂ）及び記憶数表示ＬＥＤ（Ｎ）の各々は、ＬＥＤ表示回路３４を介してＣＰＵ３２により個別にまたは同時に駆動制御されるようになっている。また、クロック回路３５はＣＰＵ３２の処理周期を規定する。
　【００２７】
　ＣＰＵ３２は遊技盤１における入賞装置１４や装飾ＬＥＤ５４及び各表示灯Ａ〜Ｄおよび連続回数表示ＬＥＤ２０や大入賞口入賞数表示ＬＥＤ２１を始め、文字表示ＬＥＤ２６や記憶数表示ＬＥＤ２７等および効果音を出力するスピーカー等の駆動制御手段をも兼ねるが、これら各部材の駆動制御方式については周知であるから説明を省略する。
　【００２８】
　以下、ＲＯＭ３０に格納された制御プログラムの要部を示すフローチャート（図５乃至図２６）を参照して本実施形態におけるパチンコ機の処理動作を説明する。なお、図５乃至図１１に示すタスク１の処理と図１２乃至図１４に示すタスク２の処理と、図１５乃至図２２に示すタスク３の処理と、図２３乃至図２５に示すタスク４の処理及び図２６に示すタスク５の処理は、クロック回路３５からの信号に応じ、ＣＰＵ３２が所定の処理周期（μｓのオーダー）ごとに並列的に繰り返し実行するものである。
　【００２９】
　図５〜図１１に示すタスク１の処理は、ＣＰＵ３２が所定周期毎に大当り用乱数の値（抽選用数値手段に相当）を０乃至１０５０の範囲で逐次インクリメントすることにより発生させ、この大当り用乱数の値に基づいて、変動時間用乱数、普通当り用乱数、左，右普通図柄データ及び左，中，右特別図柄データの各値を設定し、普通当り用乱数の値及び左，右普通図柄データにより普通当り図柄データおよび普通はずれ図柄データの作成を行い、左，中，右特別図柄データの各値によって左，中，右特別大当り図柄データ及び左，中，右特別はずれ図柄データを作成し、更に、左，右普通図柄作動スイッチＳＷ５，ＳＷ６からの検出信号により遊技球の左，右ゲート通過を最高４回まで記憶して図柄表示ユニット２の記憶数表示部２５に数字表示し、左，中，右第１種始動入賞検出スイッチＳＷ１，ＳＷ２，ＳＷ３からの入賞検出信号がされる毎に、大当り用乱数の値を最高４個まで記憶する。
　【００３０】
　ＣＰＵ３２は、所定の処理周期毎に大当り用乱数の値を０乃至１０５０の範囲で逐次インクリメントし、大当り用乱数記憶レジスタＲＡＮ１の値が１０５０に到達する毎にレジスタＲＡＮ１の値を０に初期化する一方、レジスタＲＡＮ１の値を１つインクリメントする度に変動時間用乱数記憶レジスタＲＡＮ２の値を０と１との間で循環的に切り替える（ステップａ１〜ステップａ６）。
　【００３１】
　次いで、ＣＰＵ３２は普通当り用乱数、左，右普通図柄データ及び左，中，右特別図柄データの各値を設定するための処理として、大当り用乱数記憶レジスタＲＡＮ１の２ビット目と３ビット目（０〜３までの値）をレジスタＲｘに格納し、同様に、大当り用乱数記憶レジスタＲＡＮ１の１ビット目と２ビット目及び０ビット目と１ビット目を各々レジスタＲｙ，Ｒｚに格納し（ステップａ７〜ステップａ９）、レジスタＲｘの値に１を加算してレジスタＲ´に格納し、レジスタＲ´の値が４であるかを判別し、４であればレジスタＲ´に０を格納し、４でなければ格納された値のままにして、レジスタＲ´の値と普通当り乱数レジスタＲ´０の値（０〜４までの値）を加算して普通当り乱数レジスタＲ´０に格納し、又、レジスタＲ´の値と左特別図柄データ記憶レジスタｒ０の値（０〜１４までの値）を加算して左特別図柄データ記憶レジスタｒ０に格納する（ステップａ１０〜ステップａ１４）。ＣＰＵ３２は、普通当り用乱数記憶レジスタＲ´０の値を５以上であるか否かを判別し、５以上であれば普通当り用乱数記憶レジスタＲ´０の値より５を減算して普通当り用乱数記憶レジスタＲ´０に格納し、左特別図柄データ記憶レジスタｒ０の値が１５以上かどうかを判別し、１５以上であればレジスタｒ０の値より１５を減算して左特別図柄データ記憶レジスタｒ０に格納する（ステップａ１５〜ステップａ１８）。この結果、普通当り用乱数記憶レジスタＲ´０には０〜４までのどれかの値がセットされ、左特別図柄データ記憶レジスタｒ０には０〜１４までのどれかの値がセットされる。ここで、レジスタＲｘ，Ｒｙ，Ｒｚ及びＲ´は、ＣＰＵ３２が内部処理に使用するレジスタである。
　【００３２】
　このレジスタＲｘの値と普通当り用乱数記憶レジスタＲ´０の値（０〜４までの値）と左特別図柄データ記憶レジスタｒ０の値（０〜１４までの値）に対してＣＰＵ３２が行った判別処理及び演算処理を、ＣＰＵ３２は、レジスタＲｙと左普通図柄データ記憶レジスタＲｌ（０〜４までの値）及び中特別図柄記憶レジスタｒ１（０〜１４までの値）の各値に対してと、レジスタＲｚと右普通図柄データ記憶レジスタＲｒ（０〜４までの値）及び右特別図柄記憶レジスタｒ２（０〜１４までの値）の各値に対しても、同様に行う（ステップａ１９〜ステップａ３６）。
　【００３３】
　左，右普通図柄データ記憶レジスタＲｌ，Ｒｒ及び左，中，右特別図柄記憶レジスタｒ０乃至ｒ２に記憶された値は、内部処理指標の値であり、ＣＰＵ３２は、この値を処理周期毎に逐次個別に変化させることにより、図柄表示可能なすべての組合わせ図柄を作成し、当該処理周期で作成された内部処理指標の組合わせが当り図柄に関するものであるかはずれ図柄に関するものであるかを判別して（ステップａ３７）、当り図柄であれば各内部指標Ｒｌ，Ｒｒの現在値を左，右普通当り図柄データ記憶レジスタｒｌａ，ｒｒａの各々に格納し（ステップａ３８）、また、当該処理周期で作成された内部処理指標の組合わせがはずれ図柄に関するものであれば各内部指標Ｒｌ，Ｒｒの現在値を左，右普通はずれ図柄データ記憶レジスタｒｌｂ，ｒｒｂの各々に格納し（ステップａ３９）、又、内部指標ｒ０乃至ｒ２に関しても作成された内部処理指標の組合わせが当り図柄に関するものであるかはずれ図柄に関するものであるかを判別して（ステップａ４０〜ステップａ４１）、当り図柄であれば各内部処理指標のｒ０乃至ｒ２の現在値を左，中，右大当り図柄データ記憶レジスタｒ０ａ乃至ｒ２ａの各々に格納し（ステップａ４２）、また、当該処理周期で作成された内部処理指標の組合わせがはずれ図柄に関するものであれば各内部処理指標ｒ０乃至ｒ２の現在値を左，中，右はずれ図柄データ記憶レジスタｒ０ｂ乃至ｒ２ｂの各々に格納する（ステップａ４３）。
　【００３４】
　従って、左，右普通当り図柄データ記憶レジスタｒｌａ，ｒｒａ及び左，中，右大当り図柄データ記憶レジスタｒ０ａ乃至ｒ２ａの各々には当り図柄に関する内部処理指標の値のみが逐次変化して更新記憶され、また、左，右普通はずれ図柄データ記憶レジスタｒｌｂ，ｒｒｂ及び左，中，右はずれ図柄データ記憶レジスタｒ０ｂ乃至ｒ２ｂの各々には、はずれ図柄に関する内部処理指標の値のみが逐次変化して更新記憶される。
　【００３５】
　そして、ＣＰＵ３２は、左，右普通図柄作動スイッチＳＷ５，ＳＷ６からの検出信号が入力される毎に、未使用のゲート検出状態識別フラグＥｉを検出して記憶する（ステップａ４４〜ステップａ４９）。ＣＰＵ３２は、左，右ゲート５，６に遊技球が通過する毎に、検索指標ｉの値に基づいてゲート検出状態識別フラグＥ０乃至Ｅ３を設定するから、最高４個まで記憶される。
　【００３６】
　更に、左，中，右第１種始動口入賞検出スイッチＳＷ１，ＳＷ２，ＳＷ３からの入賞検出信号が入力される毎に、未使用の確定乱数記憶レジスタＲｉに大当り用乱数記憶レジスタＲＡＮ１の現在値を記憶する（ステップａ５０〜ステップａ５６）。ＣＰＵ３２は第１種始動口１６，３，１７への入力を検出する毎に、検索指標ｉの値に基づいて記憶状態識別フラグＦｉが未使用の確定乱数記憶レジスタＲｉを検出し、この確定乱数記憶レジスタＲｉに大当り用乱数記憶レジスタＲＡＮ１の現在値を記憶して記憶状態識別フラグＦｉを設定するから、図２８に示されるように、確定乱数記憶レジスタＲｉには入賞検出時点でのＲＡＮ１の値が最高４個まで記憶されることになる。
　【００３７】
　大当り用乱数記憶レジスタＲＡＮ１の値は所定の処理周期毎に法則的に変化するが、左，中，右第１種始動口１６，３，１７への入賞検出タイミングとＲＡＮ１の現在値との間には何の因果関係もないので、入賞検出時点でのＲＡＮ１の現在値を乱数として使用することができる。
　【００３８】
　そして、ＣＰＵ３２は、検索指標ｉの値に基づいて使用中のゲート検出状態識別フラグＥｉを検出し、検出されるごとに記憶数表示レジスタＲｄに１つずつ加算していき、記憶数表示レジスタＲｄの値を記憶数表示ＬＥＤ（Ｎ）によって数字表示する（ステップａ５７〜ステップａ６３）。表示される数字は０〜４のいずれかとなる。
　【００３９】
　普通図柄データ記憶レジスタＲｌ，Ｒｒに記憶される内部処理指標の値と図柄の関係は、表１乃び表２に示す左，右普通の各表示指標ｉｕ，ｉｖに内部処理指標の値を置き換えており、特別図柄記憶レジスタｒ０乃至ｒ２に記憶される内部処理指標の値と図柄の関係は表３乃至表５に示す通りであって、左，中，右特別の各表示指標ｉｌ，ｉｃ，ｉｒと図柄との関係に等しい。従って図柄可能な全ての組合わせの図柄を一巡して作成するためには普通図柄では２５回、特別図柄では１５３回の処理が必要とされる。
　【００４０】
　【表１】
　【００４１】
　【表２】
　【００４２】
　【表３】
　【００４３】
　【表４】
　【００４４】
　【表５】
　請求項１に記載の第１の図柄表示部に第１の図柄によって所定の表示態様が表示される場合とは、本実施形態にあっては、普通図柄で当りとなる図柄の組合せとなる場合であって、左普通図柄と右普通図柄が一致する場合である。また、請求項１に記載の第２の図柄表示部に第２の図柄によって所定の表示態様が表示される場合とは、本実施形態にあっては特別図柄で大当りとなる図柄の組合せとなる場合であって、左，中，右の特別図柄が全て一致した場合となる。
　【００４５】
　即ち、左，右普通図柄当りデータ記憶レジスタｒｌａおよびｒｒａに記憶される図柄の組合わせは５通りであるから機械式回転ドラムのように各図柄を完全に無作為に変動表示して当りがでる表示上の確率は、５／２５となり、また、左，中，右大当たり図柄データ記憶レジスタｒ０ａ乃至ｒ２ａに記憶される図柄の組合わせは左，中，右が同図柄のうちのいずれかであり、それ以外の組合わせは全て左，中，右外れ図柄データ記憶レジスタｒ０ｂ乃至ｒ２ｂに記憶されることになるから、表示上の大当りがでる確率は、当り図柄の組合わせ数を図柄の総組合わせ数で除した値１５／３３７５となる。
　【００４６】
　実施形態においては、普通図柄に関しては、普通当り用乱数記憶レジスタＲ´０の値と設定値との関係に基いて変動表示停止時に表示する図柄を選択するようにし、特別図柄に関しては、左，中，右第１種始動口１６，３，１７への入賞検出時点でセットされた確定乱数記憶レジスタＲｉの値と設定値との関係に基いて変動表示停止時に表示する図柄を選択するようにしているので、普通図柄当り及び大当りの発生確率は各図柄の組合わせ発生確率等と無関係に任意に設定することができる。なお、レジスタＲｌ及びＲｒ，レジスタｒｌａ及びｒｒａ，レジスタｒｌｂ，ｒｒｂ，レジスタｒ０ａ乃至ｒ２ａ，レジスタｒ０ｂ乃至ｒ２ｂ，レジスタｒ０乃至ｒ２の各値は内部処理指標の値を示すものであって、実際の変動表示に用いられる表示指標ｉｌ，ｉｃ，ｉｒの現在値とは無関係である。
　【００４７】
　図１２〜図１４に示すタスク２の処理は普通図柄の変動表示に関するものである。
　【００４８】
　ＣＰＵ３２は、まず、左，右普通図柄作動スイッチＳＷ５，ＳＷ６の検出信号に基づく新規の普通図柄変動表示の開始が可能であるか否かを普通図柄動作フラグｆａに１又は２又は３が設定されているか否かにより検出する（ステップｂ１，ステップｂ２及びステップｂ３）。普通図柄動作フラグｆａの値が１であれば左普通図柄変動表示の実行中であり、また、普通図柄動作フラグｆａの値が２であれば右普通図柄変動表示の実行中であり、また、普通図柄動作フラグｆａの値が３であれば第１種始動口３の開閉動作の実行中であって、いずれの場合にも新規の図柄変動表示の開始は不能である。なお、普通図柄動作フラグｆａの値が１の時はＣＰＵ３２はタスク２の処理で図柄の左普通図柄変動表示を継続して実行し、普通図柄動作フラグｆａの値が２の場合には、タスク２の処理で図柄の右普通図柄変動表示を継続して実行し、また、普通図柄動作フラグｆａの値が３の場合には、実質上、タスク２の処理が非実行とされる。
　【００４９】
　また、普通図柄動作フラグｆａが１又は２又は３以外の値であれば普通図柄の変動表示も第１種始動口３の開閉動作も行われていないので、新規の普通図柄変動が開始可能な状態にある。初期段階ではｆａ＝０であり、信号検出待ちの状態となる。
　【００５０】
　この場合、ＣＰＵ３２は、まず、ゲート検出状態識別フラグＥ０に１がセットされているか否か、即ち、タスク１の処理で左，右ゲート５，６に遊技球が通過したかどうかが既に検出されているか否かを判別する（ステップｂ４）。
　【００５１】
　左，右普通図柄作動スイッチＳＷ５，ＳＷ６によって遊技球のゲート通過が検出されていれば、タスク１の処理でＣＰＵ３２はゲート通過が検出される毎にｉ＝０〜３の順で未使用のゲート検出状態識別フラグＥｉに１をセットしていくので、ゲート検出状態識別フラグＥ０に１がセットされていれば、左，右ゲート５，６に遊技球が通過したかどうかがが少なくとも１回は検出されていることを意味する（ステップａ７〜ステップａ１３参照）。
　【００５２】
　そして、ゲート検出状態識別フラグＥ０に１がセットされていれば、ＣＰＵ３２はステップｂ５に移行し、普通図柄動作フラグｆａに１をセットして普通図柄変動表示の開始を記憶し（ステップｂ５）、ｔ１乃びｔ２のパラメータに予め決められた値を設定することになる（ステップｂ６）。ｔ１乃びｔ２は、図２９に示すように、左，右の各普通図柄の変動時間を示す固定的な値である。
　【００５３】
　左，右の各普通図柄の変動時間を設定したＣＰＵ３２は、次いで、ドットマトリクスＬＥＤ表示体２２の左，右普通図柄表示ＬＥＤ（Ａ），（Ｂ）の各々に表示すべき図柄を示す表示指標ｉｕ，ｉｖの値を連続的にインクリメントして各普通図柄を変動表示させる処理を開始し（ステップｂ７）、タイマＴａを作動させて変動表示開始後の経過時間の測定を開始する（ステップｂ８）。なお、実際の図柄送りは各図柄表示ＬＥＤ（Ａ），（Ｂ）の各行の表示出力を数行ずつ所定周期毎に切り替えることにより、あたかも図柄が上下に流れるように連続的に行われるが、この点に関しては、ＬＥＤ素子等を用いた表示技術として周知であるから説明を省略する。実施形態の場合、変動表示時における左，右図柄の図柄送り速度の基準値は各々０．０３２秒／図柄である。
　【００５４】
　次周期以降の処理では既に普通図柄動作フラグｆａに１がセットされているから、表示制御手段としてのＣＰＵ３２はステップｃ１の判別処理実行後ステップｃ９に移行し、変動表示開始後の経過時間Ｔａが設定値ｔ１に達するまでの間、ステップｃ１およびステップｂ９の判別処理と左，右の普通図柄表示ＬＥＤ（Ａ），（Ｂ）の変動表示に関するステップｂ１０の処理を所定の処理周期で繰り返し実行することとなる。
　【００５５】
　このようにして左，右普通図柄の変動処理を繰り返し実行する間に変動表示開始後の経過時間Ｔａが設定値ｔ１に達すると（ステップｂ９）、ＣＰＵ３２は普通当り乱数レジスタＲ´０の現在値を読み込んで普通確定値記憶レジスタＲｂに格納し（ステップｂ１１）、ゲート検出状態識別フラグＥ１乃至Ｅ２をゲート検出状態識別フラグＥ０乃至Ｅ２に順次シフトして、ゲート検出状態識別フラグＦ３に０をセットする（ステップｂ１２）。
　【００５６】
　次いで、ＣＰＵ３２は、普通確定値記憶レジスタＲｂの値が当りに対応する設定値１と一致するか否かを判別し（ステップｂ１３）、普通確定値記憶レジスタＲｂの値が設定値と一致すれば、左，右普通当たり図柄データ記憶レジスタｒｌａ乃びｒｒａの各値を左，右表示普通図柄記憶レジスタｒｌｃ乃びｒｒｃに格納する一方（ステップｂ１４）、普通確定値記憶レジスタＲｂの値が設定値と一致しなければ、左，右普通はずれ図柄データ記憶レジスタｒｌｂ乃至ｒｒｂの各値を左，右表示普通図柄記憶レジスタｒｌｃ乃至ｒｒｃの各々に格納して（ステップｂ１５）、変動停止時に左，右普通図柄表示ＬＥＤに表示すべき図柄を確定する。
　【００５７】
　次いで、ＣＰＵ３２は、左，右普通図柄表示ＬＥＤ（Ａ），（Ｂ）の変動停止時間ｔ１及びｔ２時に、左，右表示普通図柄記憶レジスタｒｌｃ，ｒｒｃの内部処理指標に対応する図柄が表示されるように左，右図柄に関する表示指標ｉｕ及びｉｖの値に各々置き換えて（ステップｂ１６）、左普通図柄表示ＬＥＤ（Ａ）の変動を停止し（ステップｂ１７）、普通図柄動作フラグｆａに２をセットして（ステップｂ１８）、この周期の処理を終了する。
　【００５８】
　左普通図柄表示ＬＥＤ（Ａ）の変動が停止された時点で、左普通図柄表示ＬＥＤ（Ｌ）には、左普通表示図柄記憶レジスタｒｌｃに記憶された指標に対応する図柄が静止表示されることとなるが、外部ノイズ等の影響で正常な表示制御が阻害されたりすると、変動表示停止時に別の図柄が表示される場合もある。このような場合であっても、表示指標ｉｕの値に基いてＲＯＭ３１から読込まれたデータに基いて図柄が表示されることにかわりはないから、表示指標ｉｕの値と左普通図柄との関係は常に確保される。
　【００５９】
　次周期以降の処理では普通図柄動作フラグｆａの値が２となるから、ＣＰＵ３２はステップｃ１，ステップｃ２の判別処理実行後ステップｂ１９に移行し、変動表示開始後の経過時間Ｔａが設定値ｔ２に達するまでの間、ステップｃ１，ステップｃ２およびステップｂ１９の判別処理と、右普通図柄表示ＬＥＤ（Ｂ）の変動表示に関するステップｂ２０の処理を所定の処理周期で繰り返し実行することとなる。
　【００６０】
　そして、経過時間Ｔａが設定値ｔ２に達したことがステップｂ１９の判別処理で検出されると、ＣＰＵ３２は右普通図柄表示ＬＥＤ（Ｂ）の変動を停止し（ステップｂ２１）、右普通図柄表示ＬＥＤ（Ｂ）の変動が停止された時点で、右普通図柄表示ＬＥＤ（Ｂ）には、右表示普通図柄記憶レジスタｒｒｃに記憶された指標に対応する図柄が静止表示されることとなる。また、外部ノイズ等の影響で正常な表示制御が阻害された場合であっても、表示指標ｉｖの値と右普通図柄との関係は常に確保される。
　【００６１】
　そして、左右の普通図柄の変動表示を終了したＣＰＵ３２は、表示指標ｉｕ，ｉｖの現在値に基いて左普通図柄表示ＬＥＤ（Ａ）と右普通図柄表示ＬＥＤ（Ｂ）の組合わせが同図柄であるか否かを判別し（ステップｂ２２）、同図柄であれば、即ち、当り図柄の組合わせであれば普通図柄動作フラグｆａに３を設定し（ステップｂ２３）、中第１種始動口３の開閉動作処理のための開放回数記憶レジスタＣを初期化し（ステップｂ２４）、動作時間フラグｆｔを初期化して（ステップｂ２５）、中第１種始動口３の開閉動作処理に関するタスク４の処理の実行を許可する。また、同図柄の組合わせでなければ、普通図柄動作フラグｆａの値を初期化し（ステップｂ２６）、記憶数表示レジスタＲｄの値を１減じて（ステップｂ２７）、この周期の処理を終了する。
　【００６２】
　この実施形態においては、所定の処理周期毎に行われるタスク２におけるステップｂ１１の処理時の普通当り用乱数記憶レジスタＲ´０の現在値が普通確定値記憶レジスタＲｂの値であり、設定値１と一致するか否かによって普通図柄当りの有無が決定され、また、ステップｂ１７の処理で左普通図柄表示ＬＥＤ（Ａ）の変動表示が停止される時点ではステップｃ１４乃至ステップｃ１６の処理により当り図柄の組合わせやはずれ図柄の組合わせが確定されているが、外部ノイズ等の影響で正常な表示制御が阻害され、最終的に表示される図柄に狂いが生じることも考えられる。
　【００６３】
　しかし、本実施形態においては、最終的な図柄組合わせの判定に際し、予め確定された図柄組合わせのかわりに、変動表示停止時の図柄に対応する表示指標ｉｕ，ｉｖの現在値を用いるにようにしているので、表示図柄に狂いを生じたような場合であっても、実際に表示された図柄の組合わせに対応した的確な判定を行うことができる。
　【００６４】
　実施形態において普通図柄当りの発生する確率は、当りに対応する設定値の範囲を普通当り用乱数記憶レジスタＲ´０の値域で除した値であり、この例では、当りに対応する設定値の値が１のみであって、普通当り用乱数記憶レジスタＲ´０の取り得る値が０乃至４の整数であるから、普通図柄当りの発生する確率は１／５（０．２）となる。従って、表１及び表２に示される各図柄を表記した２つの回転ドラムを有し、同じ図柄が揃うような条件を当り図柄の組合わせとして設定した機械式回転ドラム型の図柄表示装置の当り発生確率５／２５（０．２）と一致するが、ステップｂ１３の判別処理で用いられる比較値の値を領域として設定することにより、普通図柄当りの発生確率を任意に操作することができる。なお、普通図柄当りの発生する確率は１／５（０．２）は、後述する特別図柄が大当りする確率が１５／３３７５であることから、特別図柄が大当りする確率に比べて高い確率に設定されている。
　【００６５】
　このような操作は普通図柄当りの発生する確率に影響を与えるのみであって、当り図柄や外れ図柄の内容自体はタスク２の処理により、左，右普通当たり図柄データ記憶レジスタｒｌａ乃びｒｒａおよび左，右普通はずれ図柄データ記憶レジスタｒｌｂ乃びｒｒｂの各々にランダムに設定されるから、特定の図柄の組合わせが出易くなるようなことはなく、違和感がない。
　【００６６】
　図１５乃至図２２に示すタスク３の処理は主に特別図柄の変動表示に関するものである。
　【００６７】
　タスク３の処理を開始したＣＰＵ３２は、まず、左，中，右第１種始動口１６，３，１７への入賞検出に基く新規の特別図柄変動表示の開始が可能であるか否かを状態記憶フラグＦａに１もしくは２が設定されているか否かにより検出する（ステップｃ１，ステップｃ２）。状態記憶フラグＦａの値が１であれば特別図柄変動表示の実行中であり、また、状態記憶フラグＦａの値が２であれば大入賞口１５の開放動作の実行中であって、いずれの場合にも新規の特別図柄変動表示の開始は不能である。なお、状態記憶フラグＦａの値が１の時はＣＰＵ３２はタスク３の処理で特別図柄の変動表示を継続して実行し、また、状態記憶フラグＦａの値が２の場合には、実質上、タスク３の処理が非実行とされる。
　【００６８】
　また、状態記憶フラグＦａが１および２以外の値であれば特別図柄の変動表示も大入賞口１５の開放動作も行われていないので、新規の特別図柄変動が開始可能な状態にある。初期段階ではＦａ＝０となり、左，中，右第１種始動口１６，３，１７への入賞検出待ちとなっている。
　【００６９】
　この場合、ＣＰＵ３２は、まず、記憶状態識別フラグＦ０に１がセットされているか否か、即ち、タスク１の処理で左，中，右第１種始動口１６，３，１７への入賞が既に検出されているか否かを判別する（ステップｃ３）。
　【００７０】
　左，中，右第１種始動口１６，３，１７への入賞が検出されていれば、入賞検出時点における大当り用乱数記憶レジスタＲＡＮ１の値がタスク１の処理で確定乱数記憶レジスタＲｉに記憶され、かつ、確定乱数記憶レジスタＲｉに対応した記憶状態識別フラグＦｉに１がセットされるが、この時、ＣＰＵ３２は左，中，右第１種始動口１６，３，１７への入賞が検出される毎にｉ＝０〜３の順で確定乱数記憶レジスタＲｉに乱数を記憶してゆくので、記憶状態識別フラグＦ０に１がセットされていれば、左，中，右第１種始動口１６，３，１７への入賞が少なくとも１回は検出されていることを意味する（ステップａ５０〜ステップａ５６参照）。
　【００７１】
　そして、記憶状態識別フラグＦ０に１がセットされていれば、ＣＰＵ３２はステップｃ４に移行し、状態記憶フラグＦａに１をセットして変動表示の開始を記憶し、変動表示の選択処理を規定する変動状態記憶フラグＦｂに０をセットして（ステップｃ５）、ｔａ乃至ｔｇのパラメータに予め決められた値を設定することになる（ステップｃ６）。ｔａ乃至ｔｇは、図３０に示すように、左，中，右の各特別図柄の変動速度の切り替え時間を示す固定的な値である。
　【００７２】
　左，中，右の各特別図柄の変動速度の切り替え時間を設定したＣＰＵ３２は、次いで、ドットマトリクスＬＥＤ表示体２２の左，中，右，の各特別図柄表示ＬＥＤ（Ｌ），（Ｃ），（Ｒ）の各々に表示すべき図柄を示す表示指標ｉｌ，ｉｃ，ｉｒの値を連続的にインクリメントして各図柄を高速変動させる処理を開始し（ステップｃ７）、タイマＴを作動させて変動表示開始後の経過時間の測定を開始する（ステップｃ８）。なお、実際の図柄送りは各特別図柄表示ＬＥＤ（Ｌ），（Ｃ），（Ｒ）の各行の表示出力を数行ずつ所定周期毎に切り替えることにより、あたかも図柄が上下に流れるように連続的に行われるが、この点に関しては、ＬＥＤ素子等を用いた表示技術として周知であるから説明を省略する。実施形態の場合、高速変動，中速変動および低速変動時における各特別図柄の図柄送り速度の基準値は各々０．０６４秒／図柄，０．２５６秒／図柄，０．５１２秒／図柄である。
　【００７３】
　また、左，中，右の各特別図柄表示には必ずしもドットマトリクスＬＥＤ表示体２２を用いる必要はなく、これにかえて、ドットマトリクスＬＥＤ表示体２３を用いてもよい。更に、ドットマトリクスＬＥＤ表示体２２とドットマトリクスＬＥＤ表示体２３の双方に表示指標ｉｌ，ｉｃ，ｉｒに基く図柄を出力するようにすれば立体表示による図柄変動が可能となる。実施形態の場合、ドットマトリクスＬＥＤ表示体２３からハーフミラー２４の反射面に至る距離がドットマトリクスＬＥＤ表示体２２からハーフミラー２４の反射面に至る距離に比べて短いので、ドットマトリクスＬＥＤ表示体２２とドットマトリクスＬＥＤ表示体２３の双方に図柄を出力すると、ドットマトリクスＬＥＤ表示体２３の各ドットはこれに重複するドットマトリクスＬＥＤ表示体２２の各ドットよりも近くに、かつ、大きく見えるため、各ドットの中央部が窪んで立体的に表示されることになる。
　【００７４】
　以下、左，中，右の各図柄表示にドットマトリクスＬＥＤ表示体２２が用いられているものとして説明する。
　【００７５】
　以上のようにして、左，中，右第１種始動口１６，３，１７への入賞検出に基く特別図柄の変動表示が開始されるが、変動表示開始の時点では図３０に示されるｔｈ以降の値、即ち、右特別図柄表示ＬＥＤ（Ｒ）の中速および低速変動の時間を規制する値は未設定である。
　【００７６】
　次周期以降の処理では既に状態記憶フラグＦａに１がセットされているから、表示制御手段としてのＣＰＵ３２はステップｃ１の判別処理実行後ステップｃ９に移行し、以下、変動状態記憶フラグＦｂの現在値０に応じて、変動表示開始後の経過時間Ｔが設定値ｔａに達するまでの間、ステップｃ１およびステップｃ９乃至ステップｃ１０の判別処理と左，中，右の各特別図柄表示ＬＥＤ（Ｌ），（Ｃ），（Ｒ）の高速変動に関するステップｃ１１の処理を所定の処理周期で繰り返し実行することとなる。
　【００７７】
　このようにして各特別図柄の高速変動処理を繰り返し実行する間に変動表示開始後の経過時間Ｔが設定値ｔａに達すると（ステップｃ１０）、ＣＰＵ３２は確定乱数記憶レジスタＲ０の値を読み込んで確定値記憶レジスタＲａに格納し（ステップｃ１２）、図２８（ｂ）に示されるように、記憶状態識別フラグＦ１乃至Ｆ３および確定乱数記憶レジスタＲ１乃至Ｒ３のデータを記憶状態識別フラグＦ０乃至Ｆ２および確定乱数記憶レジスタＲ０乃至Ｒ２に順次シフトして、記憶状態識別フラグＦ３および確定乱数記憶レジスタＲ３に０をセットする（ステップｃ１３）。
　【００７８】
　次いで、ＣＰＵ３２は、確定値記憶レジスタＲａの値が設定値εと一致するか否か、即ち、今回の図柄変動処理の開始刺激となった左，中，右第１種始動口１６，３，１７への入賞検出時点における大当り用乱数記憶レジスタＲＡＮ１の値が大当りに対応する設定値εと一致するか否かを判別し（ステップｃ１４）、確定値記憶レジスタＲａの値が設定値εと一致すれば、左，中，右特別大当たり図柄データ記憶レジスタｒ０ａ乃至ｒ２ａの各値を左，中，右，表示特別図柄記憶レジスタｒ０ｃ乃至ｒ２ｃに格納する一方（ステップｃ１５）、確定値記憶レジスタＲａの値が設定値εと一致しなければ、左，中，右特別はずれ図柄データ記憶レジスタｒ０ｂ乃至ｒ２ｂの各値を左，中，右表示特別図柄記憶レジスタｒ０ｃ乃至ｒ２ｃの各々に格納して（ステップｃ１６）、変動停止時に各特別図柄表示ＬＥＤに表示すべき図柄を確定する。
　【００７９】
　実施形態では、設定値εの値を１５，３７，４７，６３，７９の５種類の数値に設定してある。
　【００８０】
　次いで、ＣＰＵ３２は、左特別図柄表示ＬＥＤ（Ｌ）の変動停止時間ｔｃ時に左表示特別図柄記憶レジスタｒ０ｃの内部処理指標に対応する図柄が表示されるように左特別図柄に関する表示指標ｉｌの値を設定変更して（ステップｃ１７）、左特別図柄表示ＬＥＤ（Ｌ）の変動速度を高速変動から中速変動に切り替えると共に（ステップｃ１８）、変動状態記憶フラグＦｂに１をセットして（ステップｃ１９）、この周期の処理を終了する。
　【００８１】
　ｔａ時における左特別図柄表示ＬＥＤ（Ｌ）の表示指標ｉｌの値は自明でないが、左特別図柄表示ＬＥＤ（Ｌ）の中速変動時間ｔｂ−ｔａ＝Ａの値と左特別図柄表示ＬＥＤ（Ｌ）の低速変動時間ｔｃ−ｔｂ＝Ｂの値は予め設定されており、また、左特別図柄表示ＬＥＤ（Ｌ）の中速変動時速度と低速変動速度の各々は一定であるから、左特別図柄表示ＬＥＤ（Ｌ）の変動停止時間ｔｃ時に左特別図柄表示ＬＥＤ（Ｌ）に表示すべき図柄の表示指標ｒ０ｃの情報のみに基いて、表示指標ｉｌの設定変更値を求めることができる。
　【００８２】
　実施形態の処理タイミングによれば、高速変動から中速変動への切り替えに際し、表示指標ｉｌの現在値が変動停止時に左特別図柄表示ＬＥＤ（Ｌ）に表示すべき図柄の表示指標ｒ０ｃよりも３図柄前の表示指標となるようにｉｌの値を設定変更することにより、変動停止時にｒ０ｃの図柄を得ることができる。
　【００８３】
　次周期以降の処理では、ＣＰＵ３２はステップｃ１およびステップｃ９の判別処理実行後ステップｃ２０に移行し、以下、変動状態記憶フラグＦｂの現在値１に応じて、変動表示開始後の経過時間Ｔが設定値ｔｂに達するまでの間、ステップｃ１，ステップｃ９およびステップｃ２０乃至ステップｃ２１の判別処理と、左特別図柄表示ＬＥＤ（Ｌ）の中速変動に関する処理および中，右の各特別図柄表示ＬＥＤ（Ｃ），（Ｒ）の高速変動に関するステップｃ２２の処理を所定の処理周期で繰り返し実行することとなる。
　【００８４】
　このようにして各図柄の変動処理を繰り返し実行する間に変動表示開始後の経過時間Ｔが設定値ｔｂに達すると（ステップｃ２１）、ＣＰＵ３２は左特別図柄表示ＬＥＤ（Ｌ）の変動速度を中速変動から低速変動に切り替えると共に（ステップｃ２３）、変動状態記憶フラグＦｂに２をセットして（ステップｃ２４）、この周期の処理を終了する。
　【００８５】
　次周期以降の処理では変動状態記憶フラグＦｂの値が２となるから、ＣＰＵ３２はステップｃ１，ステップｃ９，ステップｃ２０の判別処理実行後ステップｃ２５に移行し、以下、変動状態記憶フラグＦｂの現在値２に応じて、変動表示開始後の経過時間Ｔが設定値ｔｃに達するまでの間、ステップｃ１，ステップｃ９，ステップｃ２０およびステップｃ２５乃至ステップｃ２６の判別処理と、左特別図柄表示ＬＥＤ（Ｌ）の低速変動に関する処理および中，右の各特別図柄表示ＬＥＤ（Ｃ），（Ｒ）の高速変動に関するステップｃ２７の処理を所定の処理周期で繰り返し実行することとなる。
　【００８６】
　そして、経過時間Ｔが設定値ｔｃに達したことがステップｃ２６の判別処理で検出されると、ＣＰＵ３２は左特別図柄表示ＬＥＤ（Ｌ）の低速変動を停止し（ステップｃ２８）、変動状態記憶フラグＦｂに３をセットして（ステップｃ２９）、この周期の処理を終了する。左特別図柄表示ＬＥＤ（Ｌ）の低速変動が停止された時点で、左特別図柄表示ＬＥＤ（Ｌ）には、左表示特別図柄記憶レジスタｒ０ｃに記憶された指標に対応する図柄が静止表示されることとなるが、外部ノイズ等の影響で正常な表示制御が阻害されたりすると、変動表示停止時に別の図柄が表示される場合もある。このような場合であっても、表示指標ｉｌの値に基いてＲＯＭ３０から読込まれたデータに基いて図柄が表示されることにかわりはないから、表示指標ｉｌの値と左図柄との関係は常に確保される。
　【００８７】
　次周期以降の処理では変動状態記憶フラグＦｂの値が３となるから、ＣＰＵ３２はステップｃ１，ステップｃ９，ステップｃ２０，ステップｃ２５，ステップｃ３０の判別処理実行後ステップｃ３１に移行し、以下、変動状態記憶フラグＦｂの現在値３に応じて、変動表示開始後の経過時間Ｔが設定値ｔｄに達するまでの間、ステップｃ１，ステップｃ９，ステップｃ２０，ステップｃ２５およびステップｃ３０乃至ステップｃ３１の判別処理と、中，右の各特別図柄表示ＬＥＤ（Ｃ），（Ｒ）の高速変動に関するステップｃ３２の処理を所定の処理周期で繰り返し実行することとなる。
　【００８８】
　そして、経過時間Ｔが設定値ｔｄに達したことがステップｃ３１の判別処理で検出されると、ＣＰＵ３２は、中特別図柄表示ＬＥＤ（Ｃ）の変動停止時間ｔｆ時に中表示特別図柄記憶レジスタｒ１ｃの内部処理指標に対応する図柄が表示されるように中図柄に関する表示指標ｉｃの値を設定変更して（ステップｃ３３）、中特別図柄表示ＬＥＤ（Ｃ）の変動速度を高速変動から中速変動に切り替えると共に（ステップｃ３４）、変動状態記憶フラグＦｂに４をセットして（ステップｃ３５）、この周期の処理を終了する。
　【００８９】
　中図柄表示ＬＥＤ（Ｃ）の中速変動時間ｔｅ−ｔｄ＝Ａの値と低速変動時間ｔｆ−ｔｅ＝Ｂの値は左特別図柄表示ＬＥＤ（Ｌ）の場合と同様であるから、表示指標ｉｃの設定変更に関する条件も左特別図柄表示ＬＥＤ（Ｌ）の場合と同様であり、高速変動から中速変動への切り替えに際し、表示指標ｉｃの現在値が変動停止時に中特別図柄表示ＬＥＤ（Ｃ）に表示すべき図柄の表示指標ｒ１ｃよりも３図柄前の表示指標となるようにｉｃの値を設定変更することにより、変動停止時にｒ１ｃの図柄を得ることができる。
　【００９０】
　次周期以降の処理では変動状態記憶フラグＦｂの値が４となるから、ＣＰＵ３２はステップｃ１，ステップｃ９，ステップｃ２０，ステップｃ２５，ステップｃ３０，ステップｃ３６の判別処理実行後ステップｃ３７に移行し、以下、変動状態記憶フラグＦｂの現在値４に応じて、変動表示開始後の経過時間Ｔが設定値ｔｅに達するまでの間、ステップｃ１，ステップｃ９，ステップｃ２０，ステップｃ２５，ステップｃ３０およびステップｃ３６乃至ステップｃ３７の判別処理と、中特別図柄表示ＬＥＤ（Ｃ）の中速変動に関する処理および右特別図柄表示ＬＥＤ（Ｒ）の高速変動に関するステップｃ３８の処理を所定の処理周期で繰り返し実行することとなる。
　【００９１】
　このようにして各特別図柄の変動処理を繰り返し実行する間に変動表示開始後の経過時間Ｔが設定値ｔｅに達すると（ステップｃ３７）、ＣＰＵ３２は中特別図柄表示ＬＥＤ（Ｃ）の変動速度を中速変動から低速変動に切り替えると共に（ステップｃ３９）、変動状態記憶フラグＦｂに５をセットして（ステップｃ４０）、この周期の処理を終了する。
　【００９２】
　次周期以降の処理では変動状態記憶フラグＦｂの値が５となるから、ＣＰＵ３２はステップｃ１，ステップｃ９，ステップｃ２０，ステップｃ２５，ステップｃ３０，ステップｃ３６，ステップｃ４１の判別処理実行後ステップｃ４２に移行し、以下、変動状態記憶フラグＦｂの現在値５に応じて、変動表示開始後の経過時間Ｔが設定値ｔｆに達するまでの間、ステップｃ１，ステップｃ９，ステップｃ２０，ステップｃ２５，ステップｃ３０，ステップｃ３６およびステップｃ４１乃至ステップｃ４２の判別処理と、中特別図柄表示ＬＥＤ（Ｃ）の低速変動に関する処理および右特別図柄表示ＬＥＤ（Ｒ）の高速変動に関するステップｃ４３の処理を所定の処理周期で繰り返し実行することとなる。
　【００９３】
　そして、経過時間Ｔが設定値ｔｆに達したことがステップｃ４２の判別処理で検出されると、ＣＰＵ３２は中特別図柄表示ＬＥＤ（Ｃ）の低速変動を停止し（ステップｃ４４）、変動状態記憶フラグＦｂに６をセットして（ステップｃ４５）、この周期の処理を終了する。中特別図柄表示ＬＥＤ（Ｃ）の低速変動が停止された時点で、中特別図柄表示ＬＥＤ（Ｃ）には、中表示特別図柄記憶レジスタｒ１ｃに記憶された指標に対応する図柄が静止表示されることとなる。また、外部ノイズ等の影響で正常な表示制御が阻害された場合であっても、表示指標ｉｃの値と中図柄との関係は常に確保される。
　【００９４】
　即ち、左特別図柄表示ＬＥＤ（Ｌ）および中特別図柄表示ＬＥＤ（Ｃ）の各々は、図柄の変動表示開始後、予め定められた設定時間ｔｃおよびｔｆが経過した時点でＣＰＵ３２の処理によって個別に停止されることになる。
　【００９５】
　次周期以降の処理では変動状態記憶フラグＦｂの値が６となるから、ＣＰＵ３２はステップｃ１，ステップｃ９，ステップｃ２０，ステップｃ２５，ステップｃ３０，ステップｃ３６，ステップｃ４１，ステップｃ４６の判別処理実行後ステップｃ４７に移行し、以下、変動状態記憶フラグＦｂの現在値６に応じて、変動表示開始後の経過時間Ｔが設定値ｔｇに達するまでの間、ステップｃ１，ステップｃ９，ステップｃ２０，ステップｃ２５，ステップｃ３０，ステップｃ３６，ステップｃ４１およびステップｃ４６乃至ステップｃ４７の判別処理と、右特別図柄表示ＬＥＤ（Ｒ）の高速変動に関するステップｃ４８の処理を所定の処理周期で繰り返し実行することとなる。
　【００９６】
　そして、経過時間Ｔが設定値ｔｇに達したことがステップｃ４７の判別処理で検出されると、ＣＰＵ３２は、左特別図柄表示ＬＥＤ（Ｌ）の表示指標ｉｌの現在値と中特別図柄表示ＬＥＤ（Ｃ）の表示指標ｉｃの現在値とが一致しているか否か、即ち、変動表示を停止した左特別図柄表示ＬＥＤ（Ｌ）と中特別図柄表示ＬＥＤ（Ｃ）の図柄組合わせが大当り図柄の組合わせの必要条件を満足しているか否かを比較し（ステップｃ４９）、比較結果に応じて、ｔｇ時以降の特別図柄変動処理、即ち、右特別図柄表示ＬＥＤ（Ｒ）の中速および低速変動の時間設定に必要とされる各種のデータを設定することとなる。
　【００９７】
　まず、ステップｃ４９の判別結果が偽となった場合、即ち、左特別図柄表示ＬＥＤ（Ｌ）の停止図柄と中特別図柄表示ＬＥＤ（Ｃ）の停止図柄とが一致していず、大当りの発生する確率が皆無の場合には、ＣＰＵ３２は、右特別図柄の変動速度の切り替え時間を示すｔｈ乃びｔｊのパラメータに予め決められた値を設定した後（ステップｃ５０）、右特別図柄表示ＬＥＤ（Ｒ）の変動停止時間ｔｉ時に右表示特別図柄記憶レジスタｒ２ｃの内部処理指標に対応する図柄が表示されるように右図柄に関する表示指標ｉｒの値を設定変更して（ステップｃ５１）、右特別図柄表示ＬＥＤ（Ｒ）の変動速度を高速変動から中速変動に切り替えると共に（ステップｃ５６）、変動状態記憶フラグＦｂに７をセットして（ステップｃ５７）、この周期の処理を終了する。
　【００９８】
　右特別図柄表示ＬＥＤ（Ｒ）の中速変動時間ｔｈ−ｔｇ＝Ｃの値と右特別図柄表示ＬＥＤ（Ｒ）の低速変動時間ｔｉ−ｔｈ＝Ｄの値は固定的であるから、右特別図柄表示ＬＥＤ（Ｒ）の変動停止時間ｔｉ時に右特別図柄表示ＬＥＤ（Ｒ）に表示すべき図柄の表示指標ｒ２ｃの情報のみに基いて、表示指標ｉｒの設定変更値を求めることができる。実施形態の処理タイミングによれば、高速変動から中速変動への切り替えに際し、表示指標ｉｒの現在値が変動停止時に右特別図柄表示ＬＥＤ（Ｒ）に表示すべき図柄の表示指標ｒ２ｃよりも１図柄前の表示指標となるようにｉｒの値を設定変更することにより、変動停止時にｒ２ｃの図柄を得ることができる。
　【００９９】
　また、ステップｃ４９の判別結果が真となった場合、即ち、左特別図柄表示ＬＥＤ（Ｌ）の停止図柄と中特別図柄表示ＬＥＤ（Ｃ）の停止図柄とが一致して大当り図柄の組合わせの必要条件を満足した場合には、ＣＰＵ３２は、右特別図柄に関する表示指標ｉｒの現在値を特定の値２に設定変更した後（ステップｃ５２）、変動時間用乱数記憶レジスタＲＡＮ２の値と変動停止時に表示すべき表示指標ｒ２ｃの情報に基いてｔｈ乃至ｔｊのパラメータを選択的に設定することとなる（ステップｃ５３〜ステップｃ５５）。
　【０１００】
　即ち、変動時間用乱数記憶レジスタＲＡＮ２の値が０であった場合には表６に示されるようなＲＯＭ３０の選択条件ファイルに基いて、変動停止時に表示すべき図柄の表示指標ｒ２ｃに対応する変動時間Ｃを選択してパラメータｔｈにｔｇ＋Ｃを設定し（ステップｃ５４）、また、変動時間用乱数記憶レジスタＲＡＮ２の値が１であった場合には表７に示されるようなＲＯＭ３１の選択条件ファイルに基いて、変動停止時に表示すべき図柄の表示指標ｒ２ｃに対応する変動時間Ｃを選択してパラメータｔｈにｔｇ＋Ｃを設定し、パラメータｔｈの値に予め決められた一定の値を加えてパラメータｔｉおよびｔｊの値を設定する（ステップｃ５５）。
　【０１０１】
　【表６】
　【０１０２】
　【表７】
　従って、変動時間用乱数記憶レジスタＲＡＮ２の値が０で、かつ、変動停止時に表示すべき図柄の表示指標ｒ２ｃの値が０の場合であれば、変動時間Ｃとして表６から３．１０４ｓが選択され、パラメータｔｈの値はｔｇ＋Ｃ＝１０．３３６ｓとなり、また、変動時間用乱数記憶レジスタＲＡＮ２の値が１で、かつ、変動停止時に表示すべき図柄の表示指標ｒ２ｃの値が１４の場合であれば、変動時間Ｃとして表７から１０．５２８ｓが選択され、パラメータｔｈの値はｔｇ＋Ｃ＝１７．７６０ｓとなる。
　【０１０３】
　つまり、ステップｃ５４およびステップｃ５５の処理は、ステップｃ１７，ステップｃ３３およびステップｃ５１に示される処理のように中速および低速時の変動時間を一定として変動停止時に表示すべき図柄の表示指標ｒ２ｃの値に対応して中速変動開始時における表示指標ｉｒの値を再設定するかわりに、中速変動開始時における表示指標ｉｒの値を特定の値に決めて変動停止時に表示すべき図柄の表示指標ｒ２ｃの値に対応して中速および低速の変動時間を設定するものである。
　【０１０４】
　表６および表７に示されるように、ＲＯＭ３０は、中図柄表示ＬＥＤ（Ｃ）の変動表示が停止してから右図柄表示ＬＥＤ（Ｒ）の図柄表示を略一巡させて表示指標ｒ２ｃの停止図柄を表示する変動時間を変動時間用乱数記憶レジスタＲＡＮ２の値０に対応して記憶する一方、変動時間用乱数記憶レジスタＲＡＮ２の値１に対しては、中特別図柄表示ＬＥＤ（Ｃ）の変動表示が停止してから右特別図柄表示ＬＥＤ（Ｒ）の図柄表示を略二巡させて表示指標ｒ２ｃの停止図柄を表示する変動時間を記憶しており、どの変動表示時間を選択して設定するかは、変動時間用乱数記憶レジスタＲＡＮ２の現在値と停止図柄を示す表示指標ｒ２ｃの値で確定される。
　【０１０５】
　表６および表７の各々においては停止図柄を示す表示指標ｒ２ｃの値が増大するにつれて変動表示時間時も単純増加するが、遊技者の側では変動時間用乱数記憶レジスタＲＡＮ２の現在値を認識することはできず、図柄表示が略一巡するのか略二巡するのかを知るよしもないから、単純に変動時間の長短を観察することによって停止図柄を推定することは非常に困難である。
　【０１０６】
　なお、表６および表７に示す変動時間の値は実施形態の処理タイミングに基いて一例を示すものであり、変動時間等を制限するものではない。
　【０１０７】
　そして、ステップｃ５４もしくはステップｃ５５の処理でｔｈ乃至ｔｊのパラメータを設定したＣＰＵ３２は、右特別図柄表示ＬＥＤ（Ｒ）の変動速度を高速変動から中速変動に切り替えた後（ステップｃ５６）、変動状態記憶フラグＦｂに７をセットして（ステップｃ５７）、この周期の処理を終了する。
　【０１０８】
　変動状態記憶フラグＦｂに７がセットされる結果、次周期以降の処理では、ステップｃ１，ステップｃ９，ステップｃ２０，ステップｃ２５，ステップｃ３０，ステップｃ３６，ステップｃ４１，ステップｃ４６，ステップｃ５８の判別処理実行後、ＣＰＵ３２はステップｃ５９に移行し、以下、変動状態記憶フラグＦｂの現在値７に応じて、変動表示開始後の経過時間Ｔが設定値ｔｈに達するまでの間、ステップｃ１，ステップｃ９，ステップｃ２０，ステップｃ２５，ステップｃ３０，ステップｃ３６，ステップｃ４１，ステップｃ４６およびステップｃ５８乃至ステップｃ５９の判別処理と、右特別図柄表示ＬＥＤ（Ｒ）の中速変動に関するステップｃ６０の処理を所定の処理周期で繰り返し実行することとなる。
　【０１０９】
　このようにして各図柄の変動処理を繰り返し実行する間に変動表示開始後の経過時間Ｔが設定値ｔｈに達すると（ステップｃ５９）、ＣＰＵ３２は右特別図柄表示ＬＥＤ（Ｒ）の変動速度を中速変動から低速変動に切り替えると共に（ステップｃ６１）、変動状態記憶フラグＦｂに８をセットして（ステップｃ６２）、この周期の処理を終了する。
　【０１１０】
　次周期以降の処理では変動状態記憶フラグＦｂの値が８となるから、ＣＰＵ３２はステップｃ１，ステップｃ９，ステップｃ２０，ステップｃ２５，ステップｃ３０，ステップｃ３６，ステップｃ４１，ステップｃ４６，ステップｃ５８，ステップｃ６３の判別処理実行後ステップｃ６４に移行し、以下、変動状態記憶フラグＦｂの現在値８に応じて、変動表示開始後の経過時間Ｔが設定値ｔｉに達するまでの間、ステップｃ１，ステップｃ９，ステップｃ２０，ステップｃ２５，ステップｃ３０，ステップｃ３６，ステップｃ４１，ステップｃ４６，ステップｃ５８およびステップｃ６３乃至ステップｃ６４の判別処理と、右特別図柄表示ＬＥＤ（Ｒ）の低速変動に関するステップｃ６５の処理を所定の処理周期で繰り返し実行することとなる。
　【０１１１】
　そして、経過時間Ｔが設定値ｔｉに達したことがステップｃ６４の判別処理で検出されると、ＣＰＵ３２は右特別図柄表示ＬＥＤ（Ｒ）の低速変動を停止し（ステップｃ６６）、変動状態記憶フラグＦｂに９をセットして（ステップｃ６７）、この周期の処理を終了する。右特別図柄表示ＬＥＤ（Ｒ）の低速変動が停止された時点で、右特別図柄表示ＬＥＤ（Ｒ）には、右表示特別図柄記憶レジスタｒ２ｃに記憶された指標に対応する図柄が静止表示されることとなる。また、外部ノイズ等の影響で正常な表示制御が阻害された場合であっても、表示指標ｉｒの値と右図柄との関係は常に確保される。
　【０１１２】
　そして、全ての特別図柄の変動表示を終了したＣＰＵ３２は、次周期以降の処理では変動状態記憶フラグＦｂの値が９となるから、ステップｃ１，ステップｃ９，ステップｃ２０，ステップｃ２５，ステップｃ３０，ステップｃ３６，ステップｃ４１，ステップｃ４６，ステップｃ５８，ステップｃ６３の判別処理実行後ステップｃ６８に移行し、以下、変動状態記憶フラグＦｂの現在値９に応じて、変動表示開始後の経過時間Ｔが設定値ｔｊに達するまでの間、ステップｃ１，ステップｃ９，ステップｃ２０，ステップｃ２５，ステップｃ３０，ステップｃ３６，ステップｃ４１，ステップｃ４６，ステップｃ５８，ステップｃ６３およびステップｃ６８の判別処理を所定の処理周期で繰り返し実行することとなる。
　【０１１３】
　そして、経過時間Ｔが設定値ｔｊに達したことがステップｃ６８の判別処理で検出されると、ＣＰＵ３２は、左特別図柄表示ＬＥＤ（Ｌ）の表示指標ｉｌの現在値と中特別図柄表示ＬＥＤ（Ｃ）の表示指標ｉｃの現在値とが一致しているか否か、即ち、最終的に表示された左特別図柄表示ＬＥＤ（Ｌ）の停止図柄と中特別図柄表示ＬＥＤ（Ｃ）の停止図柄とが一致しているか否か（ステップｃ６９）、および、左特別図柄表示ＬＥＤ（Ｌ）の表示指標ｉｌの現在値と右特別図柄表示ＬＥＤ（Ｒ）の表示指標ｉｒの現在値とが一致しているか否か、即ち、最終的に表示された左特別図柄表示ＬＥＤ（Ｌ）の停止図柄と中特別図柄表示ＬＥＤ（Ｃ）の停止図柄および右特別図柄表示ＬＥＤ（Ｒ）の停止図柄が全て一致しているか否かを判別し（ステップｃ７０）、図柄の一致不一致、即ち、大当りか否かに応じて、タスク５の処理に必要とされる各種のデータを設定することとなる。
　【０１１４】
　まず、ステップｃ６９またはステップｃ７０の判別結果が偽となった場合、即ち、左図柄表示ＬＥＤ（Ｌ）の停止図柄と中図柄表示ＬＥＤ（Ｃ）の停止図柄とが一致していないはずれの場合には、ＣＰＵ３２は、状態記憶フラグＦａおよび変動状態記憶フラグＦｂの値を初期化して（ステップｃ７１，ステップｃ７２）、この周期の処理を終了する。
　【０１１５】
　これに対し、ステップｃ６９およびステップｃ７０の判別結果が共に真となった場合、即ち、左特別図柄表示ＬＥＤ（Ｌ）の停止図柄と中特別図柄表示ＬＥＤ（Ｃ）の停止図柄および右特別図柄表示ＬＥＤ（Ｒ）の停止図柄が全て一致、即ち、大当りの場合には、ＣＰＵ３２は変動状態記憶フラグＦｂの値を初期化し（ステップｃ７３）、状態記憶フラグＦａに２を設定して（ステップｃ７４）、大入賞口１５の開放に関するタスク５の処理の実行を許可する。
　【０１１６】
　この実施形態においては左，中，右第１種始動口１６，３，１７への入賞検出時におけるステップａ１２の処理で大当り用乱数記憶レジスタＲＡＮ１の現在値が確定乱数記憶レジスタＲｉに記憶された時点で確定乱数記憶レジスタＲｉの値が設定値ε（１５，３１，４７，６３及び７９の５種類の値）と一致するか否かによって大当りの発生の有無が既に決定され、また、ステップｃ１７の処理で左特別図柄表示ＬＥＤ（Ｌ）の中速変動表示が開始される時点ではステップｃ１４乃至ステップｃ１６の処理により特別大当り図柄の組合わせや特別外れ図柄の組合わせが確定されているが、外部ノイズ等の影響で正常な表示制御が阻害され、最終的に表示される図柄に狂いが生じることも考えられる。
　【０１１７】
　しかし、本実施形態においては、最終的な特別図柄組合わせの判定に際し、予め確定された特別図柄組合わせのかわりに、変動表示停止時の特別図柄に対応する表示指標ｉｌ，ｉｃ，ｉｒ，ｉｕの現在値を用いるにようにしているので、表示図柄に狂いを生じたような場合であっても、実際に表示された特別図柄の組合わせに対応した的確な判定を行うことができる。
　【０１１８】
　実施形態において大当りの発生する確率は、大当りに対応する設定値の範囲を大当り用乱数記憶レジスタＲＡＮ１の値域で除した値であり、この例では、大当りに対応する設定値の数が５種類であって、大当り用乱数記憶レジスタＲＡＮ１の取り得る値が０乃至１０４９の整数であるから、大当りの発生する確率は５／１０５０（０．９５２／２００）となる。従って、表１乃至表４に示される各図柄を表記した３つの回転ドラムを有し、同じ図柄が３つ揃う時を当り図柄の組合わせとして設定した機械式回転ドラム型の図柄表示装置の大当り発生確率１５／３３７５（０．８８８／２００）とは一致しない。また、ステップａ２の判別処理で用いられる比較値の値を変更したり、ステップｃ１４の判別処理で用いられる比較値の値を領域として設定したりすることにより、大当りの発生確率を任意に操作することができる。
　【０１１９】
　例えば、ステップａ２の判別処理で用いられる比較値の値を１０２５とすれば大当りの発生する確率は５／１０２５（０．９７５／２００）となり、また、ステップｃ１４の判別処理で用いられる比較値の値εを０＜ε＜６のように領域として設定してもよい。
　【０１２０】
　このような操作は大当りの発生する確率に影響を与えるのみであって、特別大当り図柄や特別はずれ図柄の内容自体はタスク１の処理により、左，中，右特別大当たり図柄データ記憶レジスタｒ０ａ乃至ｒ２ａおよび左，中，右特別はずれ図柄データ記憶レジスタｒ０ｂ乃至ｒ２ｂの各々にランダムに設定されるから、特定の図柄の組合わせが出易くなるようなことはなく、違和感がない。
　【０１２１】
　図２３乃至図２５に示されるタスク４の処理は、中第１種始動口３の開閉動作処理に関するものである。
　【０１２２】
　中第１種始動口３は、図３１に示すように、タスク２の処理で左右の普通図柄が一致して当りと判定される場合に６回開閉を行う。普通動作フラグｆａに３が設定されると、ＣＰＵ３２は、ステップｄ１の判別処理実行後ステップｄ２に移行し、まず、中第１種始動口３の開放動作が可能か否かを動作時間フラグｆｔに１もしくは２が設定されているか否かにより検出する。普通動作フラグｆａが３以外の場合には、実質上タスク４の処理は非実行となる。
　【０１２３】
　動作時間フラグｆｔの値が１であれば、中第１種始動口３の開放状態の実行中であり、また、動作時間フラグｆｔの値が２であれば中第１種始動口３の閉鎖状態の実行中であって、いずれの場合も中第１種始動口３の開閉動作の開始は不可能である。そして、動作時間フラグｆｔが１及び２以外の値であれば、中第１種始動口３の開放状態あるいは閉鎖状態の実行中ではないので、中第１種始動口３の開閉動作が開始可能な状態にある。初期段階ではタスク２の処理で動作時間フラグｆｔに０がセットされる。この場合には、ＣＰＵ３２は、パラメータｔｋに予め決められた値にセットして（ステップｄ４）、動作時間フラグｆｔに１をセットして（ステップｄ５）、ソレノイド等で開閉駆動される中第１種始動口３の開放動作処理を実行し（ステップｄ６）、タイマＴｂを作動させて中第１種始動口３の開放後の経過時間の測定を開始する（ステップｄ７）。
　【０１２４】
　そして、次周期以降の処理では、既に動作時間フラグｆｔに１がセットされているから、ＣＰＵ３２は、ステップｄ１の判別処理実行後ステップｄ８に移行し、開放動作実行後の経過時間Ｔｂが設定値ｔｋに達するまでの間、ステップｄ１及びステップｄ２乃至ステップｄ３の判別処理を所定の処理周期で繰り返し実行することとなる。
　【０１２５】
　そして、中第１種始動口３の開放動作実行後の経過時間Ｔｂが設定値ｔｋに達したことがステップｄ８の判別処理で検出されると、ＣＰＵ３２は中第１種始動口３を閉鎖し（ステップｄ９）、開放回数記憶レジスタＣの値をインクリメントした後（ステップｄ１０）、中第１種始動口３の開閉動作処理の実行回数が設定値６に達したか否かを判別し（ステップｄ１１）、中第１種始動口３の開閉動作処理の実行回数が設定値６の範囲内にあれば、パラメータｔｌに予め決められた値をセットし（ステップｄ１２）、動作時間フラグｆｔに２をセットして（ステップｄ１３）、タイマＴｂを作動させて中第１種始動口３の閉鎖後の経過時間の測定を開始して（ステップｄ１４）、この周期の処理を終了する。
　【０１２６】
　次周期以降の処理では、動作時間フラグｆｔに２がセットされているから、ＣＰＵ３２は、ステップｄ１、ステップｄ２及びステップｄ３の判別処理実行後、ステップｄ１５に移行し、閉鎖状態の経過時間Ｔｂが設定値ｔｌに達するまでの間、ステップｄ１、ステップｄ２、ステップｄ３及びステップｄ１５の判別処理を所定の処理周期で繰り返し実行することとなる。
　【０１２７】
　そして、中第１種始動口３の閉鎖状態の経過時間Ｔｂが設定値ｔｌに達したことが検出されると（ステップｄ１５）、ＣＰＵ３２は動作時間フラグｆｔを０クリアし（ステップｄ１６）、この周期の処理を終了する。これにより中第１種始動口３の開閉動作の１回目が終了する。
　【０１２８】
　次周期では、動作時間フラグｆｔが０とされている結果、ＣＰＵ３２は、ステップｄ１、ステップｄ２、ステップｄ３と経由して再びステップｄ４に移行し、前述のステップｄ４乃至ステップｄ７の各処理を実行し、この周期の処理を終了する。この結果、中第１種始動口３の開閉動作の２回目が開始されることとなる。
　【０１２９】
　このように、ＣＰＵ３２は、開放回数記憶レジスタＣの値が所定の開放回数６に達するまでの間、前記のステップｄ１〜ステップｄ７に至る中第１種始動口３の拡開に伴う処理を含め、ステップｄ８のタイマＴｂによる開放時間の計時処理、開放時間ｔｋの経過時の中第１種始動口３の閉鎖に伴う処理（ステップｄ９〜ステップｄ１４）、ステップｄ１５のタイマＴｂによる閉鎖時間の計時処理、閉鎖時間ｔｌの経過時の動作時間フラグの０クリアの処理（ステップｄ１６）を繰り返し実行する。
　【０１３０】
　ＣＰＵ３２は、開放時間ｔｋの経過時の中第１種始動口３の閉鎖に伴う処理を行う毎に開放回数記憶レジスタＣを１つずつアップしていくことにより、中第１種始動口３の６回目の拡開が終了する時点で開放回数記憶レジスタＣの値が６に達する（ステップｄ１１）。
　【０１３１】
　ＣＰＵ３２は、ステップｄ１１を真と判別してステップｄ１７に移行し、開放回数記憶レジスタＣ及び動作時間フラグｆｔを初期化し（ステップｄ１７、ステップｄ１８）、普通図柄動作フラグｆａを初期化して（ステップｄ１９）、記憶数表示レジスタＲｄの値を１だけ減じて（ステップｄ２０）処理を終了する。
　【０１３２】
　タスク２またはタスク４の処理で普通図柄動作フラグｆａの値が初期化される結果、次周期以降のステップｄ１及びステップｄ２の判別結果は共に偽となり、ゲート検出状態識別フラグＥ０の値が再度ＣＰＵ３２により検出されることとなる（ステップｂ４）。
　【０１３３】
　従って、左，右ゲート５，６の再度のゲート通過検出によりゲート検出状態識別フラグＥ０に新たに１が記憶された場合や、複数のゲート通過検出によってゲート検出状態識別フラグＥ１以降に記憶された値がシフトされたような場合には、ステップｄ４以降の処理により再度の図柄合せ処理が、第１回目を含め、最高４回まで続けて開始されることとなる。
　【０１３４】
　図２６はタスク５の処理の概略を示すフローチャートである。状態記憶フラグＦａに２が設定されると、ＣＰＵ３２はステップｅ１の判別処理実行後ステップｅ２に移行し、ソレノイド等で開閉駆動される大入賞口１５の開閉操作を開始し、所定の開放時間の経過もしくは大入賞口１５への遊技球の入賞個数の検出などに基づく開閉動作の終了条件が成立するまでの間、所定の処理周期でステップｅ２の開閉処理を繰り返し実行し、ステップｅ３の判別処理で終了条件の成立が検出されると、ステップｅ４の処理で大入賞口１５を閉鎖して１開放動作を終了し、ステップｅ５の処理で状態記憶フラグＦａの値を初期化する。
　【０１３５】
　タスク３またはタスク５の処理で状態記憶フラグＦａの値が初期化される結果、次周期移行のステップｃ１及びステップｃ２の判別結果は共に偽となり、記憶状態識別フラグＦ０の値が再度ＣＰＵ３２により検出されることとなる（ステップｃ３）。
　【０１３６】
　従って、左，中，右第一種始動口１６，３，１７への再度の入賞検出により確定乱数レジスタＲ０に新たに記憶された場合や、複数の入賞検出によって確定乱数記憶レジスタＲ１以降に記憶された値がシフトされたような場合には、ステップｃ４以降の処理により再度の図柄組合わせ処理が、第一回目を含め、最高４回まで続けて開始されることとなる。
　【０１３７】
　遊技盤１において、遊技が開始されて左ゲート５または右ゲート５に遊技球が通過し、また、平行して左，中，右第１種始動口１６，３，１７のいずれかに遊技球が入賞した場合、ＣＰＵ３２によるタスク１の処理で、左，右普通図柄作動スイッチＳＷ５，ＳＷ６からの検出信号により未使用のゲート検出状態識別フラグＥｉを検出して記憶されると共に、左，中，右第１種始動口入賞検出スイッチＳＷ１，ＳＷ２，ＳＷ３からの入賞検出信号が入力されて、未使用の確定乱数記憶レジスタＲｉに大当り用乱数記憶レジスタＲＡＮ１の現在値が記憶され、第１種始動口１６，３，１７への入力を検出する毎に、検索指標ｉの値に基づいて記憶状態識別フラグＦｉがセットされる。
　【０１３８】
　そして、ＣＰＵ３２はタスク２の処理において、普通図柄の変動表示を行い、又、タスク３において、特別図柄の変動表示を行う。タスク１、タスク２及びタスク３の処理は、クロック回路３５からの信号に応じ、ＣＰＵ３２が所定の処理周期（μｓのオーダー）ごとに並列的に繰り返し実行するものである。
　【０１３９】
　従って、遊技者は、図柄表示ユニット２内の普通図柄表示部２２ａと特別図柄表示部２２ｂにおいて、普通図柄表示ＬＥＤ（Ａ），（Ｂ）による普通図柄変動表示と、特別図柄表示ＬＥＤ（Ｌ），（Ｃ），（Ｒ）もしくは特別図柄表示ＬＥＤ（Ｌ），（Ｃ），（Ｒ），（ｌ），（ｃ），（ｒ）による特別図柄変動表示を、同時に遊技盤１において視認することとなる。
　【０１４０】
　また、表８乃至表１０はパチンコ機の動作状態に応じたランプおよびＬＥＤの表示、点灯態様を表わす表であり、表１１は、パチンコ機の動作状態に応じたスピーカーの識別効果音発生態様を表わす表である。
　【０１４１】
　【表８】
　【０１４２】
　【表９】
　【０１４３】
　【表１０】
　【０１４４】
　【表１１】
　【０１４５】
　なお、上記実施の形態においては、第２の図柄表示部２２ｂに所定の図柄の組合せ態様が表示される時に拡開作動する第２の変動入賞装置（大入賞口１５）を備え、第１の変動入賞装置（中第一種始動口３を備えたチューリップ式の電動役物）を第２の可変表示部２２ｂにおいて図柄の変動を開始させる始動入賞装置に設定し、第１の変動入賞装置がその入賞口の開閉を複数回（６回）繰り返すようにしたので、第１の変動入賞装置が１回のみの拡開動作を行うものと比べて、入賞の可能性を高めることができ、かつ拡開するタイミングに合わせて遊技者が遊技球をコントロールさせる機会を増やし、入賞させることができるか否かの趣興性を維持することができる。
　【０１４６】
　【発明の効果】
　請求項１に記載の構成によれば、第１の図柄表示部に第１の図柄によって所定の表示態様が表示される確率が、第２の図柄表示部に前記第２の図柄によって所定の表示態様が表示される確率よりも高い確率に設定されているので、第１の変動入賞装置は第２の変動入賞装置よりも比較的拡開作動されやすく、これにより遊技者に入賞機会を拡大すると同時に第２の図柄の変動回数を比較的多くすることができ、遊技の興趣を高めることができる。また、第１の入賞装置への入賞により、第２の図柄が所定の表示態様で表示され、第２の変動入賞装置が拡開作動されると、遊技者の入賞機会がさらに拡大し、遊技者に利益をもたらすことができることとなるが、一方的に入賞機会を拡大すると遊技店が営業的に不利となるおそれがあるため、第２の図柄が所定の表示態様で表示される確率を比較的低く設定することによって、第２の変動入賞装置が拡開作動される機会を比較的少なくすることができ、これによって遊技者の遊技に対する興趣を維持しながら遊技者と遊技店の利益バランスを取ることが可能になる。
　【０１４７】
　さらに、第２の検出手段の検出信号に応じて抽選用数値手段の現在値を抽選し、抽選した抽選用数値手段の現在値が当りであるか否かにより乱数的に設定される確率に基いて第２の図柄によって所定の複数種類の組合せ図柄のうちのいずれかの表示態様が表示されるように制御するので、変動表示される第２の図柄の種類や図柄の組合せ数が如何なる数であるかに無関係に第２の図柄によって所定の複数種類の組合せ図柄のうちのいずれかの表示態様が表示される確率を設定できると共に、当りの場合、所定の複数種類の組合せ図柄のうちのいずれが表示されるかをランダムにすることができる。
【図面の簡単な説明】
　【図１】
　本発明の実施形態に係るパチンコ機の遊技盤を示す正面図
　【図２】
　実施形態の図柄表示ユニットの要部を示す側断面概念図
　【図３】
　実施形態の図柄表示体のドットマトリクス表示体を示す平面図
　【図４】
　実施形態の別の図柄表示体のドットマトリクス表示体を示す平面図
　【図５】
　実施形態のパチンコ機に配備したＣＰＵによる処理の一部を示すフロー図
　【図６】
　図５のフロー図のつづき
　【図７】
　図６のフロー図のつづき
　【図８】
　図７のフロー図のつづき
　【図９】
　図８のフロー図のつづき
　【図１０】
　図９のフロー図のつづき
　【図１１】
　図１０のフロー図のつづき
　【図１２】
　実施形態のパチンコ機に配備したＣＰＵによる処理の一部を示すフロー図
　【図１３】
　図１２のフロー図のつづき
　【図１４】
　図１３のフロー図のつづき
　【図１５】
　実施形態のパチンコ機に配備したＣＰＵによる処理の一部を示すフロー図
　【図１６】
　図１５のフロー図のつづき
　【図１７】
　図１６のフロー図のつづき
　【図１８】
　図１７のフロー図のつづき
　【図１９】
　図１８のフロー図のつづき
　【図２０】
　図１９のフロー図のつづき
　【図２１】
　図１９のフロー図のつづき
　【図２２】
　図２１のフロー図のつづき
　【図２３】
　実施形態のパチンコ機に配備したＣＰＵによる処理の一部を示すフロー図
　【図２４】
　図２３のフロー図のつづき
　【図２５】
　図２４のフロー図のつづき
　【図２６】
　実施形態のパチンコ機に配備したＣＰＵによる処理の一部を示すフロー図
　【図２７】
　実施形態のパチンコ機の制御部を示す要部ブロック図
　【図２８】
　実施形態における確定乱数記憶レジスタＲｉの記憶動作を示す作用原理図
　【図２９】
　実施形態のパチンコ機の図柄表示ユニットにおける普通図柄変動処理を示すタイミングチャート
　【図３０】
　実施形態のパチンコ機の図柄表示ユニットにおける特別図柄変動処理を示すタイミングチャート
　【図３１】
　実施形態のパチンコ機の中第一種始動口における開閉動作処理を示すタイミングチャート
　【符号の説明】
　１　遊技盤
　２　図柄表示ユニット
　３　中第一種始動口
　４ａ　左下入賞口
　４ｂ　右下入賞口
　５　左ゲート
　６　右ゲート
　７　天入賞口
　８　ランプ付風車
　９　風車
　１１　アウト球受口
　１２　球誘導レール
　１３　返しゴム
　１４　入賞装置
　１５　大入賞口
　１６　左第一種始動口
　１７　右第一種始動口
　１８　遊技球分け壁
　１９　遊技球分け壁
　２０　連続回数表示ＬＥＤ
　２１　大入賞口入賞数表示ＬＥＤ
　２２　ドットマトリクスＬＥＤ表示体
　２２ａ　普通図柄表示部
　２２ｂ　特別図柄表示部
　２２ｃ　一縁
　２２ｄ　表示面
　２３　ドットマトリクスＬＥＤ表示体
　２４　ハーフミラー
　２５　記憶数表示部
　２６　文字表示ＬＥＤ
　２７　記憶数表示ＬＥＤ
　２８　覗き窓
　２９ａ　遊技球振り分け部
　３０　ＲＯＭ
　３１　ＲＡＭ
　３２　ＣＰＵ
　３３　スイッチ検出部
　３４　ＬＥＤ表示回路
　３５　クロック回路
　４０　制御部
　４１　飾り部材
　５０　表示灯
　５１　表示灯
　５２　表示灯
　５３　表示灯
　５４　装飾ＬＥＤ
　ＳＷ１　第２の検出体としての第１種始動口入賞検出スイッチ
　ＳＷ２　同上
　ＳＷ３　同上
　ＳＷ５　第１の検出体としての普通図柄作動検出スイッチ
　ＳＷ６　同上
　（Ｌ）第２の図柄表示体の図柄表示単位面としての左特別図柄表示ＬＥＤ
　（Ｃ）第２の図柄表示体の図柄表示単位面としての中特別図柄表示ＬＥＤ
　（Ｒ）第２の図柄表示体の図柄表示単位面としての右特別図柄表示ＬＥＤ
　（Ａ）第１の図柄表示体の図柄表示単位面としての左特別図柄表示ＬＥＤ
　（Ｂ）第１の図柄表示体の図柄表示単位面としての右特別図柄表示ＬＥＤ
　（Ｎ）図柄表示体の図柄表示単位面としての記憶数表示ＬＥＤ
　（ｌ）第２の別の図柄表示体の図柄表示単位面としての左特別図柄表示ＬＥＤ
　（ｃ）第２の別の図柄表示体の図柄表示単位面としての左特別図柄表示ＬＥＤ
　（ｒ）第２の別の図柄表示体の図柄表示単位面としての左特別図柄表示ＬＥＤ